(57)【要約】  ワイヤレス通信チャネルを通して制御情報をレポートすることに関連する方法および装置を説明する。さまざまな実施形態は、ワイヤレスリンクを通して制御情報フォーマット定義情報を伝達することを含む。例えば、いくつかの実施形態では、基地局は、例えば、新しいリリースまたはカスタムレポーティングフォーマットに対応する制御情報レポーティングフォーマット定義情報を、ワイヤレス端末中へとダウンロードさせる。別の例として、ワイヤレス端末は、ワイヤレス端末が使用を意図するカスタム制御情報レポーティングフォーマットを発生させ、発生されたカスタム制御レポーティングフォーマットに対応する定義情報を基地局に伝達する。【選択図】      図９
2009521859.tif 000002
【特許請求の範囲】
【請求項１】
第２の通信デバイスと対話する第１の通信デバイスを動作させる方法において、
ワイヤレス通信リンクからの制御情報レポーティングフォーマット定義情報の受信および送信のうちの少なくとも１つを実行することと、
前記受信および送信されたレポーティングフォーマット定義情報のうちの１つにしたがって、制御情報レポートを発生させることと
を含む方法。
【請求項２】
前記レポーティングフォーマットは、前記レポート中に含まれることになる情報を、可能性あるレポート値にマッピングする定義を提供する、請求項１記載の方法。
【請求項３】
前記レポーティングフォーマットは、レポーティングスケジュールをさらに規定し、このレポーティングスケジュールにしたがって、レポートが送信されることになる、請求項２記載の方法。
【請求項４】
前記レポーティングフォーマットは、前記規定されたレポーティングスケジュールにしたがって送信されることになる１組のレポートをさらに規定する、請求項３記載の方法。
【請求項５】
前記レポーティングフォーマットは、前記１組のレポートに適用されることになるコーディングおよび変調スキームをさらに指定する、請求項４記載の方法。
【請求項６】
前記受信および送信を実行する前に、前記第２の通信デバイスと通信するときに、デフォルトレポーティングフォーマットを使用すること
をさらに含む、請求項１記載の方法。
【請求項７】
前記デフォルトフォーマットは、前記第２の通信デバイスとの最初の通信のために使用される、請求項６記載の方法。
【請求項８】
デバイス能力情報、チャネル条件、アプリケーション情報、サービス品質情報、および、システム負荷のうちの少なくとも１つをチェックすることと、
前記チェックの結果に依拠して、前記受信および送信されたレポーティングフォーマットのうちの１つに切り替えることと
をさらに含む、請求項７記載の方法。
【請求項９】
前記第２の通信デバイスからの、制御情報フォーマット切替コマンド信号の受け取りをチェックすることと、
前記チェックの結果に依拠して、前記受信および送信されたレポーティングフォーマットのうちの１つに切り替えることと
をさらに含む、請求項７記載の方法。
【請求項１０】
前記レポーティングフォーマット定義情報は、集中型サーバから受信され、または、集中型サーバに送信される、請求項１記載の方法。
【請求項１１】
前記第１の通信デバイスはワイヤレス端末であり、レポートのグループが、直交周波数分割多重チャネル構造における専用制御チャネルセグメントにマッピングされる、請求項５記載の方法。
【請求項１２】
通信デバイスにおいて、
ｉ）ワイヤレス通信リンクから制御情報レポーティングフォーマット定義情報を受信する受信機モジュールと、
ｉｉ）ワイヤレス通信リンクを通して、制御情報レポーティングフォーマット定義情報を送信する送信機モジュールと
のうちの少なくとも１つと、
ｉ）受信されたレポーティングフォーマット定義情報と、
ｉｉ）送信されたレポーティングフォーマット定義情報と
のうちの少なくとも１つにしたがって、制御情報レポートを発生させる制御情報レポート発生モジュールと
を具備する通信デバイス。
【請求項１３】
記憶されたレポーティングフォーマット定義情報を含むメモリをさらに具備し、
前記記憶されたレポーティングフォーマット定義情報は、レポート定義情報を含み、
前記レポート定義情報は、レポート中に含まれることになる情報と、可能性あるレポート値との間のマッピングを規定するマッピング情報を含む、請求項１２記載の通信デバイス。
【請求項１４】
前記記憶されたレポーティングフォーマット定義情報は、レポートが送信されることになるシーケンスを示すスケジュールを示すレポーティングスケジュールを規定する情報をさらに含む、請求項１３記載の通信デバイス。
【請求項１５】
前記記憶されたレポーティングフォーマット定義情報は、前記規定されたレポーティングスケジュールにしたがって送信されることになる１組のレポートをさらに規定する、請求項１４記載の通信デバイス。
【請求項１６】
前記記憶されたレポーティングフォーマット定義情報は、前記規定された１組のレポートに適用されることになるコーディングおよび変調スキームを指定する情報をさらに含む、請求項１５記載の通信デバイス。
【請求項１７】
別の通信デバイスから制御情報レポーティングフォーマット定義情報を受信する前に、または、前記別の通信デバイスに対して制御情報レポーティングフォーマット定義情報を送信する前に、前記別の通信デバイスと通信するときに使用することになるデフォルトレポーティングフォーマットを記憶するメモリ
をさらに具備する、請求項１２記載の通信デバイス。
【請求項１８】
前記記憶されたデフォルトレポーティングフォーマットは、前記別の通信デバイスとの最初の通信のために使用される、請求項１７記載の通信デバイス。
【請求項１９】
デバイス能力情報、チャネル条件情報、アプリケーション情報、サービス品質情報、および、システム負荷情報のうちの少なくとも１つをチェックし、
前記チェックの結果の関数として、
ｉ）前記受信されたレポーティングフォーマット定義情報と、
ｉｉ）前記送信されたレポーティングフォーマット定義情報と
のうちの前記少なくとも１つによって規定されたレポーティングフォーマットに切り替えることを制御する
制御モジュール
をさらに具備する、請求項１８記載の通信デバイス。
【請求項２０】
前記通信デバイスはワイヤレス端末である、請求項１２記載の通信デバイス。
【請求項２１】
通信デバイスにおいて、
ｉ）ワイヤレス通信リンクから制御情報レポーティングフォーマット定義情報を受信する手段と、
ｉｉ）ワイヤレス通信リンクを通して、制御情報レポーティングフォーマット定義情報を送信する手段と
のうちの少なくとも１つと、
ｉ）受信されたレポーティングフォーマット定義情報と、
ｉｉ）送信されたレポーティングフォーマット定義情報と
のうちの少なくとも１つにしたがって、制御情報レポートを発生させる手段と
を具備する通信デバイス。
【請求項２２】
記憶されたレポーティングフォーマット定義情報を含む記憶手段をさらに具備し、
前記記憶されたレポーティングフォーマット定義情報は、レポート定義情報を含み、
前記レポート定義情報は、レポート中に含まれることになる情報と、可能性あるレポート値との間のマッピングを規定するマッピング情報を含む、請求項２１記載の通信デバイス。
【請求項２３】
前記記憶されたレポーティングフォーマット定義情報は、レポートが送信されることになるシーケンスを示すスケジュールを示すレポーティングスケジュールを規定する情報をさらに含む、請求項２２記載の通信デバイス。
【請求項２４】
前記記憶されたレポーティングフォーマット定義情報は、前記規定されたレポーティングスケジュールにしたがって送信されることになる１組のレポートをさらに規定する、請求項２３記載の通信デバイス。
【請求項２５】
前記記憶されたレポーティングフォーマット定義情報は、前記規定された１組のレポートに適用されることになるコーディングおよび変調スキームを指定する情報をさらに含む、請求項２４記載の通信デバイス。
【請求項２６】
第１の通信デバイスを制御するための機械実行可能命令が組み入れられたコンピュータ読取可能媒体において、
方法は、
ワイヤレス通信リンクからの制御情報レポーティングフォーマット定義情報の受信および送信のうちの少なくとも１つを実行することと、
前記受信および送信されたレポーティングフォーマット定義情報のうちの１つにしたがって、制御情報レポートを発生させることと
を含むコンピュータ読取可能媒体。
【請求項２７】
前記レポーティングフォーマットは、前記レポート中に含まれることになる情報を、可能性あるレポート値にマッピングする定義を提供する、請求項２６記載のコンピュータ読取可能媒体。
【請求項２８】
前記レポーティングフォーマットは、レポーティングスケジュールをさらに規定し、このレポーティングスケジュールにしたがって、レポートが送信されることになる、請求項２７記載のコンピュータ読取可能媒体。
【請求項２９】
前記レポーティングフォーマットは、前記規定されたレポーティングスケジュールにしたがって送信されることになる１組のレポートをさらに規定する、請求項２８記載のコンピュータ読取可能媒体。
【請求項３０】
前記レポーティングフォーマットは、前記１組のレポートに適用されることになるコーディングおよび変調スキームをさらに指定する、請求項２９記載のコンピュータ読取可能媒体。
【請求項３１】
ワイヤレス通信システムにおいて動作可能な第１の通信デバイスにおいて、
ワイヤレス通信リンクからの制御情報レポーティングフォーマット定義情報の受信および送信のうちの少なくとも１つを制御し、
前記受信および送信されたレポーティングフォーマット定義情報のうちの１つにしたがって、制御情報レポートを発生させる
ように構成されたプロセッサを具備する第１の通信デバイス。
【請求項３２】
前記レポーティングフォーマットは、前記レポート中に含まれることになる情報を、可能性あるレポート値にマッピングする定義を提供する、請求項３１記載の第１の通信デバイス。
【請求項３３】
前記レポーティングフォーマットは、レポーティングスケジュールをさらに規定し、このレポーティングスケジュールにしたがって、レポートが送信されることになる、請求項３２記載の第１の通信デバイス。
【請求項３４】
前記レポーティングフォーマットは、前記規定されたレポーティングスケジュールにしたがって送信されることになる１組のレポートをさらに規定する、請求項３３記載の第１の通信デバイス。
【請求項３５】
前記レポーティングフォーマットは、前記１組のレポートに適用されることになるコーディングおよび変調スキームをさらに指定する、請求項３４記載の第１の通信デバイス。
【請求項３６】
第２の通信デバイスと対話する第１の通信デバイスを動作させる方法において、
ワイヤレス通信リンクからの制御情報レポーティングフォーマット定義情報の受信および送信のうちの少なくとも１つを実行することと、
前記受信および送信されたレポーティングフォーマット定義情報のうちの１つにしたがって、受信された制御情報レポートに対応する制御情報を回復させることと
を含む方法。
【請求項３７】
前記レポーティングフォーマットは、前記レポート中に含まれることになる情報を、可能性あるレポート値にマッピングする定義を提供する、請求項３６記載の方法。
【請求項３８】
前記レポーティングフォーマットは、レポーティングスケジュールをさらに規定し、このレポーティングスケジュールにしたがって、レポートが送信されることになる、請求項３７記載の方法。
【請求項３９】
前記レポーティングフォーマットは、前記規定されたレポーティングスケジュールにしたがって送信されることになる１組のレポートをさらに規定する、請求項３８記載の方法。
【請求項４０】
前記レポーティングフォーマットは、前記１組のレポートに適用されることになるコーディングおよび変調スキームをさらに指定する、請求項３９記載の方法。
【請求項４１】
前記受信および送信を実行する前に、前記第２の通信デバイスと通信するときに、デフォルトレポーティングフォーマットを使用することをさらに含む、請求項３６記載の方法。
【請求項４２】
前記デフォルトフォーマットは、前記第２の通信デバイスとの最初の通信のために使用される、請求項４１記載の方法。
【請求項４３】
デバイス能力情報、チャネル条件、アプリケーション情報、サービス品質情報、および、システム負荷のうちの少なくとも１つをチェックすることと、
前記チェックの結果に依拠して、前記受信および送信されたレポーティングフォーマットのうちの１つに切り替えることと
をさらに含む、請求項４２記載の方法。
【請求項４４】
前記第２の通信デバイスからの、制御情報フォーマット切替コマンド信号の受け取りをチェックすることと、
前記チェックの結果に依拠して、前記受信および送信されたレポーティングフォーマットのうちの１つに切り替えることと
をさらに含む、請求項４２記載の方法。
【請求項４５】
前記レポーティングフォーマット定義情報は、集中型サーバから受信され、または、集中型サーバに送信される、請求項３６記載の方法。
【請求項４６】
前記第１の通信デバイスは基地局であり、レポートのグループが、直交周波数分割多重チャネル構造における専用制御チャネルセグメントにマッピングされる、請求項４０記載の方法。
【請求項４７】
前記第１の通信デバイスは基地局であり、前記第２の通信デバイスは第１のワイヤレス端末であり、
前記方法は、
第２のワイヤレス端末に対応する、第２のワイヤレス通信リンクからの制御情報レポーティングフォーマット定義情報の受信および送信のうちの少なくとも１つを実行することと、
前記第２のワイヤレス通信リンクから受信および送信されたレポーティングフォーマット定義情報のうちの１つにしたがって、受信された制御情報レポートに対応する通信された制御情報を回復させることと
をさらに含み、
前記第１のワイヤレス端末に対応する前記レポーティングフォーマット定義情報は、前記第２のワイヤレス端末に対応する前記レポーティングフォーマット定義情報とは異なる、請求項３６記載の方法。
【請求項４８】
通信デバイスにおいて、
ｉ）ワイヤレス通信リンクから制御情報レポーティングフォーマット定義情報を受信する受信機モジュールと、
ｉｉ）ワイヤレス通信リンクを通して、制御情報レポーティングフォーマット定義情報を送信する送信機モジュールと
のうちの少なくとも１つと、
ｉ）受信されたレポーティングフォーマット定義情報と、
ｉｉ）送信されたレポーティングフォーマット定義情報と
のうちの少なくとも１つにしたがって、制御情報レポートの情報を回復させる制御情報レポート回復モジュールと
を具備する通信デバイス。
【請求項４９】
記憶されたレポーティングフォーマット定義情報を含むメモリをさらに具備し、
前記記憶されたレポーティングフォーマット定義情報は、レポート定義情報を含み、
前記レポート定義情報は、制御情報レポート中に含まれることになる情報と、可能性あるレポート値との間のマッピングを規定するマッピング情報を含む、請求項４８記載の通信デバイス。
【請求項５０】
前記記憶されたレポーティングフォーマット定義情報は、レポートが送信されることになるシーケンスを示すスケジュールを示すレポーティングスケジュールを規定する情報をさらに含む、請求項４９記載の通信デバイス。
【請求項５１】
前記記憶されたレポーティングフォーマット定義情報は、前記規定されたレポーティングスケジュールにしたがって受信されることになる１組のレポートをさらに規定する、請求項５０記載の通信デバイス。
【請求項５２】
前記記憶されたレポーティングフォーマット定義情報は、前記規定された１組のレポートに適用されることになるコーディングおよび変調スキームを指定する情報をさらに含む、請求項５１記載の通信デバイス。
【請求項５３】
別の通信デバイスから制御情報レポーティングフォーマット定義情報を受信する前に、または、前記別の通信デバイスに対して制御情報レポーティングフォーマット定義情報を送信する前に、前記別の通信デバイスと通信するときに使用することになるデフォルトレポーティングフォーマットを記憶するメモリをさらに具備する、請求項４８記載の通信デバイス。
【請求項５４】
前記記憶されたデフォルトレポーティングフォーマットは、前記別の通信デバイスとの最初の通信のために使用される、請求項５３記載の通信デバイス。
【請求項５５】
デバイス能力情報、チャネル条件情報、アプリケーション情報、サービス品質情報、および、システム負荷情報のうちの少なくとも１つをチェックし、
前記チェックの結果の関数として、
ｉ）前記受信されたレポーティングフォーマット定義情報と、
ｉｉ）前記送信されたレポーティングフォーマット定義情報と
のうちの前記少なくとも１つによって規定されたレポーティングフォーマットに切り替えることを制御する
制御モジュールをさらに具備する、請求項５４記載の通信デバイス。
【請求項５６】
前記通信デバイスは基地局である、請求項４８記載の通信デバイス。
【請求項５７】
通信デバイスにおいて、
ｉ）ワイヤレス通信リンクから制御情報レポーティングフォーマット定義情報を受信する手段と、
ｉｉ）ワイヤレス通信リンクを通して、制御情報レポーティングフォーマット定義情報を送信する送信機モジュールと
のうちの少なくとも１つと、
ｉ）受信されたレポーティングフォーマット定義情報と、
ｉｉ）送信されたレポーティングフォーマット定義情報と
のうちの少なくとも１つにしたがって、制御情報レポートの情報を回復させる手段と
を具備する通信デバイス。
【請求項５８】
記憶されたレポーティングフォーマット定義情報を含む記憶手段をさらに具備し、
前記記憶されたレポーティングフォーマット定義情報は、レポート定義情報を含み、
前記レポート定義情報は、制御情報レポート中に含まれることになる情報と、可能性あるレポート値との間のマッピングを規定するマッピング情報を含む、請求項５７記載の通信デバイス。
【請求項５９】
前記記憶されたレポーティングフォーマット定義情報は、レポートが送信されることになるシーケンスを示すスケジュールを示すレポーティングスケジュールを規定する情報をさらに含む、請求項５８記載の通信デバイス。
【請求項６０】
前記記憶されたレポーティングフォーマット定義情報は、前記規定されたレポーティングスケジュールにしたがって受信されることになる１組のレポートをさらに規定する、請求項５９記載の通信デバイス。
【請求項６１】
前記記憶されたレポーティングフォーマット定義情報は、前記規定された１組のレポートに適用されることになるコーディングおよび変調スキームを指定する情報をさらに含む、請求項６０記載の通信デバイス。
【請求項６２】
第１の通信デバイスを制御して、方法を実現させる機械実行可能命令が組み入れられたコンピュータ読取可能媒体において、
前記方法は、
ワイヤレス通信リンクからの制御情報レポーティングフォーマット定義情報の受信および送信のうちの少なくとも１つを実行することと、
前記受信および送信されたレポーティングフォーマット定義情報のうちの１つにしたがって、受信された制御情報レポートに対応する制御情報を回復させることと
を含むコンピュータ読取可能媒体。
【請求項６３】
前記レポーティングフォーマットは、前記レポート中に含まれることになる情報を、可能性あるレポート値にマッピングする定義を提供する、請求項６２記載のコンピュータ読取可能媒体。
【請求項６４】
前記レポーティングフォーマットは、レポーティングスケジュールをさらに規定し、このレポーティングスケジュールにしたがって、レポートが送信されることになる、請求項６３記載のコンピュータ読取可能媒体。
【請求項６５】
前記レポーティングフォーマットは、前記規定されたレポーティングスケジュールにしたがって送信されることになる１組のレポートをさらに規定する、請求項６４記載のコンピュータ読取可能媒体。
【請求項６６】
前記レポーティングフォーマットは、前記１組のレポートに適用されることになるコーディングおよび変調スキームをさらに指定する、請求項６５記載のコンピュータ読取可能媒体。
【請求項６７】
ワイヤレス通信システムにおいて動作可能な第１の通信デバイスにおいて、
ワイヤレス通信リンクからの制御情報レポーティングフォーマット定義情報の受信および送信のうちの少なくとも１つを制御し、
前記受信および送信されたレポーティングフォーマット定義情報のうちの１つにしたがって、受信された制御情報レポートに対応する制御情報の回復を制御する
ように構成されたプロセッサを具備する第１の通信デバイス。
【請求項６８】
前記レポーティングフォーマットは、前記レポート中に含まれることになる情報を、可能性あるレポート値にマッピングする定義を提供する、請求項６７記載の第１の通信デバイス。
【請求項６９】
前記レポーティングフォーマットは、レポーティングスケジュールをさらに規定し、このレポーティングスケジュールにしたがって、レポートが送信されることになる、請求項６８記載の第１の通信デバイス。
【請求項７０】
前記レポーティングフォーマットは、前記規定されたレポーティングスケジュールにしたがって送信されることになる１組のレポートをさらに規定する、請求項６９記載の第１の通信デバイス。
【請求項７１】
前記レポーティングフォーマットは、前記１組のレポートに適用されることになるコーディングおよび変調スキームをさらに指定する、請求項７０記載の第１の通信デバイス。
【発明の詳細な説明】
【発明の分野】
【０００１】
本発明はワイヤレス通信方法および装置に関連し、より詳細には、制御チャネルを実現し、使用するための方法および装置に関連する。
【発明の背景】
【０００２】
多元接続ワイヤレス通信システムにおいて、複数のワイヤレス端末は、一般的に、限られた無線リンクリソースに対して競争している。アップリンクのユーザデータトラフィックシグナリングと、ダウンリンクのユーザデータトラフィックシグナリングとをサポートする状態で動作するワイヤレス端末は、一般的に、基地局アタッチメントポイントに対して制御情報を定期的に伝達しようとする。いくつかのシステムでは、制御情報は、制御情報レポートの形態で伝達されてもよく、制御情報レポートは、基地局アタッチメントポイントが、ワイヤレス端末のステータスについての情報を取得できるようにし、効率的にリソースを割り振りできるようにする。ワイヤレス通信サービスの人気および種類が増加するにつれて、より多数の同時発生ユーザをサポートする要望が大きくなってきた。加えて、イベントおよび／または時刻は、ピークに同時に発生するユーザ需要を導出しかねない。
【０００３】
同時発生ユーザの数の変化は、制御情報通信リソースに対する需要に影響を及ぼしかねない。しかしながら、異なるワイヤレス端末は、異なる時間において異なる要望を持ち得ることと、多くのケースにおいて、リソースに対する需要は、ユーザデータを基地局に伝達する能力を有する端末のシステム中の総数の単純な問題ではないこととをまた理解すべきである。
【０００４】
同一の基地局アタッチメントポイントを使用する異なるワイヤレス端末は、異なるレポーティング要望および優先度を持つことが多い。例えば、第１のワイヤレス端末は、別のもの、例えば第２のワイヤレス端末とは、非常に異なる制御情報レポーティング要望を有しているかもしれず、第１のワイヤレス端末は、現在の据え置き位置から動作しており、それ自体と基地局アタッチメントポイントとの間に何の障害物もなく、または、最小の障害物しかなく、頻繁でない少量のユーザデータを伝達することを必要としており、第２のワイヤレス端末、例えば、移動している自動車中の移動体ノードは、急速に変化しているチャネル条件を経験しており、および／または大量のデータを頻繁に伝達することを必要としている。基地局に対して制御情報をレポートするために、汎用の単一制御情報レポーティングフォーマットを使用することは、簡単に実現できるが、幅広いさまざまな異なるタイプの予期される同時発生ユーザを収容するためになされる妥当な程度の有効性とのトレードオフにより、非効率になりかねない。
【０００５】
上記を鑑みて、制御情報レポーティングに関する柔軟性、例えば、サポートされるレポートフォーマットの点での柔軟性を提供する、方法および装置に対する要望があることを理解すべきである。ワイヤレス端末の現在の要望および／または条件を、よく適した制御情報レポートフォーマットに一致させる傾向がある、改良された方法および／または装置は、例えば、増加するトラフィックスループット能力の点で、効率を増加させ、利益をもたらす傾向がある。制御情報レポーティングフォーマットを変化させる能力は、それがサポートできる場合、いくつかのケースにおいても有用であろう。
【発明の概要】
【０００６】
さまざまな実施形態は、ワイヤレス通信チャネル上で制御情報をレポートすることに関連する方法および装置に向けられており、方法および装置は、ワイヤレスリンク上で制御情報フォーマット定義情報を伝達することを含む。例えば、いくつかの実施形態では、基地局は、例えば、新しいリリースまたはカスタムレポーティングフォーマットに対応するレポーティングフォーマット定義情報をワイヤレス端末中へとダウンロードさせる。レポーティングフォーマット情報は、例えば、制御情報レポートフォーマットを規定してもよい。レポーティングフォーマット情報は、例えば、１つ以上のレポート定義を含んでもよい。必ずしもすべての実施形態ではないが、いくつかの実施形態では、レポートフォーマット情報は、レポート送信スケジューリング情報に加えて、１つ以上のレポートに含まれることになるコンテンツを指定してもよく、レポート送信スケジューリング情報はスケジュールを示し、このスケジュールにしたがって、規定されたレポートが送信されるべきである。別の例として、ワイヤレス端末は、ワイヤレス端末が使用を意図するカスタムレポーティングフォーマットを発生させ、発生されたカスタムレポーティングフォーマットに対応するレポートフォーマット定義情報を基地局に伝達する。
【０００７】
第２の通信デバイス、例えば基地局と対話する第１の通信デバイス、例えばワイヤレス端末を動作させる例示的な方法は、ワイヤレス通信リンクからの制御情報レポーティングフォーマット定義情報の受信および送信のうちの少なくとも１つを実行することを含む。いくつかの実施形態では、ワイヤレス端末は、レポートフォーマット定義情報を受信し、他方、他の実施形態では、ワイヤレス端末は、このような情報を発生させて、送信する。さまざまな例示的な実施形態では、第１の通信デバイスは、受信および／または送信されたレポーティングフォーマット定義情報にしたがって、制御情報レポートを発生させる。必ずしもすべての実施形態ではないが、いくつかの実施形態では、例示的な通信デバイス、例えばワイヤレス端末は、ｉ）ワイヤレス通信リンクから制御情報レポーティングフォーマット定義情報を受信する受信機モジュールと、ｉｉ）ワイヤレス通信リンクを通して、制御情報レポーティングフォーマット定義情報を送信する送信機モジュールとのうちの少なくとも１つを含む。通信デバイスはまた、ｉ）受信されたレポーティングフォーマット定義情報と、ｉｉ）送信されたレポーティングフォーマット定義情報とのうちの少なくとも１つにしたがって、制御情報レポートを発生させる制御情報レポート発生モジュールを含む。
【０００８】
いくつかの実施形態にしたがって、第２の通信デバイス、例えばワイヤレス端末と対話する第１の通信デバイス、例えば基地局を動作させる例示的な方法は、ワイヤレス通信リンクからのレポートフォーマット定義情報の受信と、ワイヤレス通信リンクを通してのレポートフォーマット定義情報の送信とのうちの少なくとも１つを実行することを含む。レポート定義情報は、制御情報レポートフォーマットを規定してもよい。１つのこのような例示的な実施形態では、第１の通信デバイスは、受信されたレポーティングフォーマット定義情報と、送信されたレポーティングフォーマット定義情報とのうちの１つにしたがって、受信された制御情報レポートに対応する制御情報を回復させる。必ずしもすべての実施形態ではないが、いくつかの実施形態では、通信デバイス、例えば基地局は、ｉ）ワイヤレス通信リンクから制御情報レポーティングフォーマット定義情報を受信する受信機モジュールと、ｉｉ）ワイヤレス通信リンクを通して制御情報レポーティングフォーマット定義情報を送信する送信機モジュールとのうちの少なくとも１つを含む。このような例示的な実施形態では、通信デバイスは、ｉ）受信されたレポーティングフォーマット定義情報と、ｉｉ）送信されたレポーティングフォーマット定義情報とのうちの少なくとも１つにしたがって、制御情報レポートの情報を回復させる制御情報レポート回復モジュールを含む。
【０００９】
上の概要において、さまざまな実施形態を説明してきたが、必ずしもすべての実施形態が、同一の特徴を含むわけではないことと、上で説明した特徴のいくつかは、必ずしもそうではないが、いくつかの実施形態では、望ましいものであり得ることとを理解すべきである。本発明の数々の追加的特徴と、実施形態と、利点とを、以下の詳細な説明において説明する。
【実施形態の詳細な説明】
【００１０】
図１は、さまざまな実施形態にしたがって、実現された例示的なワイヤレス通信システム１００の図である。例示的なワイヤレス通信システム１００は、例えば、直交周波数分割多重（ＯＦＤＭ）多元接続ワイヤレス通信システムである。例示的なワイヤレス通信システム１００は、制御情報レポートを伝達するための複数の異なるレポーティングフォーマット、例えば、アップリンク制御情報シグナリングのための複数の異なる専用制御チャネルレポーティングフォーマットをサポートする。例えば、無線リソースの効率的な使用を達成するために、特定の時間に特定のワイヤレス端末により使用される特定の制御情報レポーティングフォーマットを、ワイヤレス端末に一致させることができ、特定の制御情報レポーティングフォーマットが、実際に一致されていることもある。
【００１１】
例示的なワイヤレス通信システム１００は、複数の基地局（基地局１  １０２、・・・、基地局Ｍ  １０４）を含む。各基地局（１０２、１０４）は、それぞれ対応するワイヤレスカバレッジ領域（セル１  １０６、セルＭ  １０８）を有する。システム１００はまた、それぞれ、ネットワークリンク（１２０、１２２）を通して、基地局（１０２、１０４）に結合されているネットワークノード１１８を含む。ネットワークノード１１８はまた、リンク１２４を通して、他のネットワークノードおよび／またはインターネットに結合されている。ネットワークリンク（１２０、１２２、１２４）は、例えば、光ファイバーリンクである。システム１００はまた、複数のセクタを備えるセル、および／または、複数の搬送波を使用するセルを含む。
【００１２】
システム１００はまた、複数のワイヤレス端末を含む。少なくともいくつかのワイヤレス端末は、通信システムにわたって移動してもよい移動体ノードである。図１において、ワイヤレス端末（ＷＴ１  １１０、ＷＴＮ  １１２）が、セル１  １０６中に位置し、それぞれ、ワイヤレスリンク（１２６、１２８）を通して、基地局１  １０２に結合されている。図１において、ワイヤレス端末（ＷＴ１’  １１４、ＷＴＮ’  １１６）は、セルＭ  １０８中に位置し、それぞれ、ワイヤレスリンク（１３０、１３２）を通して、基地局Ｍ  １０４に結合されている。
【００１３】
図２は、さまざまな実施形態にしたがって実現された、例示的な通信デバイス２００、例えば基地局の図である。例示的な通信デバイス２００は、図１における何らかの基地局（１０２、１０４）であってもよい。例示的な通信デバイス２００は、バス２１６を通して互いに結合された、受信機モジュール２０４と、送信機モジュール２０８と、プロセッサ２１０と、Ｉ／Ｏインターフェース２１２と、メモリ２１４とを含み、バス２１６上でさまざまな構成部品がデータおよび情報を伝達する。
【００１４】
受信機モジュール２０４、例えばＯＦＤＭ受信機は、受信アンテナ２０２に結合されており、受信アンテナ２０２を通して、通信デバイス２００は、複数のワイヤレス端末からのアップリンク信号を受信する。受信されたアップリンク信号は、制御チャネル信号、例えば専用制御チャネル信号を含み、専用制御チャネル信号は、制御情報レポート、例えば、アップリンクトラフィックチャネル要求レポート、電力レポート、ＳＮＲレポート、干渉レポート、雑音レポート、待ち時間レポート等を伝送する。いくつかの実施形態では、受信アップリンク信号は、ワイヤレス端末によって送信されることになる制御情報レポートに対する、ワイヤレス端末のフォーマット選択を伝送する情報を含む。受信機モジュール２０４は、そのワイヤレス端末によって使用されているレポーティングフォーマットにしたがって、受信制御チャネル信号上でデコーディングおよび復調動作を実現する、デコーディングおよび復調モジュール２１８を含む。
【００１５】
送信機モジュール２０８、例えばＯＦＤＭ送信機は、送信アンテナ２０６に結合されており、送信アンテナ２０６を通して、通信デバイスはワイヤレス端末に対してダウンリンク信号を送信する。いくつかの実施形態では、ダウンリンク信号は、アップリンク制御情報レポート、例えば、特定のワイヤレス端末によってアップリンク専用制御チャネルレポートに対して使用されることになる選択されたレポーティングフォーマットを、ワイヤレス端末毎のベースで伝送する信号を含む。
【００１６】
メモリ２１４は、ルーチン２２０とデータ／情報２２２とを含む。プロセッサ２１０、例えば、ＣＰＵは、ルーチン２２０を実行し、メモリ２１４中のデータ／情報２２２を使用して、通信デバイスの動作を制御し、方法を実現する。Ｉ／Ｏインターフェース２１２は、通信デバイス２００を、他のネットワークノード、例えば、他の基地局、ルータ、ＡＡＡノード、ホームエージェントノード、中央制御ノード等、および／または、インターネットに結合させる。
【００１７】
ルーチン２２０は、レポートフォーマット選択モジュール２２４と、レポートフォーマット回復モジュール２２６とを含む。レポートフォーマット選択モジュール２２４は、ワイヤレス端末毎のベースで、制御情報レポート、例えば、アップリンク専用制御情報レポートに対して使用されることになるレポーティングフォーマットを選択する。レポートフォーマット選択モジュール２２４は、複数の異なるレポーティングフォーマット（レポーティングフォーマット１情報２３２、・・・、レポーティングフォーマットＮ情報２３４）から、受信フォーマット選択制御信号情報２５０と、アプリケーションタイプ情報２４０と、ユーザサービス品質情報２４２と、デバイス能力情報２４４と、チャネル条件情報２４６と、システム負荷情報２４８とのうちの少なくとも１つの関数としてレポーティングフォーマットを選択する。選択されたレポーティングフォーマット２５２は、レポートフォーマット選択モジュール２２４の出力であり、（レポーティングフォーマット１情報２３２、・・・、レポーティングフォーマットＮ情報２３４）のうちの１つを識別する。いくつかの実施形態では、例えば、通信デバイス２００が、アプリケーションタイプ情報２４０と、ユーザＱｏＳ情報２４２と、デバイス能力情報２４４と、チャネル条件情報２４６と、システム負荷情報２４８とのうちの少なくとも１つの関数としてレポーティングフォーマット選択を決定し、通信デバイス２００は、選択されたフォーマットを伝送するために、選択されたレポーティングフォーマットを伝送する送信信号情報を発生させ、選択情報をワイヤレス端末に送信する。いくつかの実施形態では、ワイヤレス端末が、使用するレポーティングフォーマットを評価および決定し、そして、通信デバイス２００にその情報を伝送し、この情報は、受信フォーマット選択制御信号情報２５０として受信される。いくつかのこのような実施形態では、通信デバイス２００は、選択されたフォーマット制御信号情報２５４を送信することを含まない。
【００１８】
レポートフォーマット選択モジュール２２４は、受信機制御信号情報２５６と、回復モジュール制御信号情報２５８とを発生させる。受信機モジュール２０４のデコーディングおよび復調モジュール２１８は、受信機制御信号情報２５６を使用して、選択されたレポーティングフォーマット２５２に対応する適切なコーディングおよび変調スキームを識別し、実現する。レポートフォーマット回復モジュール２２６は、ワイヤレス端末毎のベースで動作し、回復モジュール制御信号情報２５８を使用して、適切なレポーティングスケジュール情報、例えば情報２６４と、１組のレポート定義情報、例えば情報２６６と、特定のレポーティング定義、例えばワイヤレス端末から伝達されるアップリンク制御情報レポートのシーケンスに対して使用されるいくつかの情報（２３６、・・・２３８）とを、識別し、実現する。受信制御レポートチャネル信号情報２６０は、デコーディングおよび復調モジュール２１８に入力される情報と、デコーディングおよび復調モジュール２１８から出力される情報とを含む。回復された制御レポート情報２６２は、レポートフォーマット回復モジュール２２６から出力された情報を含む。
【００１９】
データ／情報２２２は、複数の組のワイヤレス端末データ／情報（ＷＴ１データ／情報２２８、・・・ＷＴＮデータ／情報２３０）と、複数の組のレポーティングフォーマット情報（レポーティングフォーマット１情報２３２、・・・レポーティングフォーマットＮ情報２３４）と、複数の組のレポート定義情報（レポート定義１情報２３６、・・・、レポート定義Ｘ情報２３８）とを含む。ＷＴ１データ／情報２２８は、アプリケーションタイプ情報２４０と、ユーザサービス品質情報２４２と、デバイス能力情報２４４と、チャネル条件情報２４６と、システム負荷情報２４８と、選択されたレポーティングフォーマット２５２と、受信機制御信号情報２５６と、回復モジュール制御信号情報２５８と、受信制御レポートチャネル信号情報２６０と、回復制御レポート情報２６２とを含む。いくつかの実施形態では、ＷＴ１データ／情報は、受信フォーマット選択制御信号情報２５０と、送信選択フォーマット制御信号情報２５４とのうちの少なくとも１つを含む。レポーティングフォーマット１情報２３２は、レポーティングスケジュール情報２６４と、１組のレポート定義情報２６６と、コーディングおよび変調スキーム情報２６８とを含む。
【００２０】
図３は、さまざまな実施形態にしたがって実現された、例示的な通信デバイス３００、例えば移動体ノードのようなワイヤレス端末の図である。例示的な通信デバイス３００は、図１中の例示的なワイヤレス端末（１１０、１１２、１１４、１１６）の任意のものであってもよい。例示的な通信デバイス３００は、互いに結合された、受信機モジュール３０４と、レポートフォーマット選択モジュール３２０と、レポート発生モジュール３４２と、送信機モジュール３５８と、メモリ３２４とを含む。
【００２１】
レポートフォーマット選択モジュール３２０は、レポーティングフォーマットを選択し、前記レポーティングフォーマットは、複数のサポートされるレポーティングフォーマットのうちの１つであり、前記レポーティングフォーマットはレポーティングスケジュールと、１組のレポート定義とを示す。レポートフォーマット選択モジュール３２０は、アプリケーションタイプ情報３０８を受け取るための入力と、ユーザサービス品質情報３１２を受け取るための入力と、チャネル条件情報３１４を受け取るための入力と、デバイス能力情報３１６を受け取るための入力と、システム負荷情報３１８を受け取るための入力と、レポートフォーマット選択制御信号３０６を受け取るための入力とを含む。
【００２２】
いくつかの実施形態では、レポートフォーマット選択モジュール３２０は、前記通信デバイスと別の通信デバイスとのうちの１つによって実行されるアプリケーションの関数としてレポーティングフォーマットを選択する。いくつかのこのような実施形態では、前記アプリケーションは、音声およびデータのアプリケーションのうちの１つである。いくつかの実施形態では、音声アプリケーションに応答して選択された、メモリ中に記憶されたレポーティングフォーマットは、待ち時間レポートを含む。いくつかの実施形態では、データアプリケーションに応答して選択された、メモリ中に記憶されたレポーティングフォーマットは、音声アプリケーションに応答して選択されたフォーマットよりも、より少ない頻度であるが、音声アプリケーションに応答して選択されたレポートに対して使用されるよりも、平均でアップリンク要求当たりより多くのビットを有するアップリンク要求レポートを含む。例えば、音声アプリケーションに対して使用されるレポーティングフォーマットは、１ビットアップリンク要求レポートを使用してもよく、１ビットアップリンク要求レポートは、連続する専用制御チャネルセグメントのそれぞれに含まれてもよく、他方、データアプリケーションに対して使用されるレポーティングフォーマットは、４ビットアップリンク要求レポートを使用してもよく、４ビットアップリンク要求レポートは、４つの連続する専用制御チャネルセグメントおきに１回、含まれてもよい。
【００２３】
さまざまな実施形態では、レポートフォーマット選択モジュール３２０は、デバイス能力情報と、ユーザサービス品質情報と、チャネル条件情報３１４と、システム負荷情報３１８とのうちの少なくとも１つの関数として、レポーティングフォーマットを選択する。デバイス能力情報は、例えば、アンテナの数と；チャネル当たりのアンテナの数と；デバイス分類情報、例えば、強い受信機、弱い受信機、音声可能、データ可能、音声およびデータ可能、据え置きデバイス、低速移動体デバイス、高速移動体デバイスと；レート能力情報と；電力能力情報と；残りのバッテリ電力情報等とを含む。
【００２４】
受信機モジュール３０４は、受信アンテナ３０２に結合されており、受信アンテナ３０２を通して通信デバイスが信号を受信する。いくつかの実施形態では、受信信号は、レポートフォーマット選択制御信号３０６、例えば、特定のレポーティングフォーマットに切り替えるための基地局からのコマンドを含む。受信信号３０６は、レポートフォーマット選択モジュール３２０に伝えられ、レポートフォーマット選択モジュールは、受信信号３０６の関数としてフォーマットを選択する。
【００２５】
レポートフォーマット選択モジュール３２０は、バス３２２を通して、メモリ３２４に結合されている。メモリ３２４は、複数の組の予め定められたレポーティングフォーマット情報（レポーティングフォーマット１情報３２６、・・・、レポーティングフォーマットＮ情報３３４）と、レポート定義情報（レポート定義１情報３３６、・・・、レポート定義Ｘ情報３３８）とを含む。レポート定義情報、例えば、レポート定義１情報３３６は、制御情報のタイプと、レポート中で伝達されることになる情報をビットマッピングする制御情報とを指定し、これは、例えば、ＳＮＲレポートフォーマットと、トラフィック要求レポートフォーマットと、電力情報レポートフォーマットと、干渉要求フォーマットとである。レポートフォーマット１情報３２６は、レポーティングスケジュール３２８と、１組のレポート定義３３０と、コーディングおよび変調スキーム３３２とを含む。１組のレポート定義３３０は、ワイヤレス端末がレポーティングフォーマット１で動作しているときに使用される、１組のレポート定義（３３６、・・・、３３８）のサブセットを識別する。レポーティングスケジュール３２８は、レポーティングフォーマット１を使用しているときに、レポーティング構造内、例えば、予め定められた繰り返しレポーティング構造内で、伝達されることになるレポートのシーケンスを識別する情報を含む。コーディングおよび変調スキーム３３２は、レポーティングフォーマット１を使用しているときに、制御情報レポートを伝達するのに使用されることになる、コーディングおよび変調スキームを識別し、コーディングおよび変調スキームは、例えば、ＢＰＳＫまたはＱＰＳＫと、セグメント当たりの情報ビット数と、セグメント当たりのコード化ビット数と、コード化ビットと変調シンボルとの間のマッピングとである。
【００２６】
レポート発生モジュール３４２は、選択されたレポーティングスケジュールと、１組のレポート定義中の少なくともいくつかの定義とにしたがって、レポートのシーケンス３５４を発生させる。レポート発生モジュール３４２は、複数の異なるレポートタイプ発生モジュール（レポートタイプ１発生モジュール３４８、・・・、レポートタイプＸ発生モジュール３５０）と、マルチプレクサモジュール３５２とを含む。レポートタイプ１発生モジュール３４８は、レポート制御情報３４４をマッピングするレポート定義１  ３３６を実現して、１組の制御情報レポートビット３４９を発生させる。例えば、レポートタイプ１が、伝達されるのを待っている情報のキュー待ちフレームについてのバックログ情報を伝達する、４ビットのアップリンクトラフィックチャネル要求レポートであることを考える。１つのこのようなケースでは、モジュール３４８は、レポートによって伝達することができる１６個の潜在的４ビットパターンのうちの１つによって表現される量子化レベルに、フレームのカウントをマッピングする。同様にレポートタイプＸ発生モジュール３５０は、レポート制御情報３４６をマッピングするレポート定義Ｘ３３８を実現して、１組の制御情報レポートビット３５１を発生させる。例えば、レポートタイプＸは、５ビットのＳＮＲレポートであることを考える。１つのこのようなケースでは、モジュール３５０は、レポートによって伝達することができる３２個の潜在的５ビットパターンのうちの１つによって表現される量子化レベルに、規定されたＳＮＲレベルをマッピングする。
【００２７】
レポートフォーマット選択モジュール３２０は、レポート発生モジュール３４２にレポート発生制御信号３４０を送り、実現されることになる選択されたレポーティングフォーマットにしたがって、どのレポートが発生されることになるかと、レポーティングのシーケンシングとを制御する。例えば、制御信号３４０は、１組のレポート定義に対応するレポート発生モジュールのサブセットが、選択されたレポーティングフォーマットに対応できるようにする。レポートフォーマット選択モジュール３２０はまた、制御信号３５６を送信機モジュール３５８に送り、選択されたレポーティングフォーマットに対応するコーディングおよび変調モジュール３６０によって実現されることになる、コーディングおよび変調スキームを制御する。コーディングおよび変調モジュール３６０は、選択されたレポーティングフォーマットに対応する予め定められたコーディングおよび変調スキームを使用して、発生されたレポートのシーケンス上でコーディングおよび変調動作を実行する。例えば、１つの特定のレポーティングフォーマットに対する、１つの例示的な実施形態では、第１のコーディングおよび変調スキームが使用され、ここで、レポートのシーケンスは、６情報ビットの組にグループ化され、６情報ビットは、２１ＱＰＳＫ変調シンボルにコード化される。同じ例示的な実施形態では、別の特定のレポーティングフォーマットに対して、第２のコーディングおよび変調スキームが使用され、ここで、レポートのシーケンスは、８情報ビットの組にグループ化され、８情報ビットは、２１ＱＰＳＫ変調シンボルにコード化される。いくつかの実施形態では、異なるレポーティングフォーマットが、異なる変調コンステレーション、例えば、ＢＰＳＫ変調コンステレーションと、ＱＰＳＫ変調コンステレーションとに対応してもよい。送信機モジュール３５８、例えばＯＦＤＭ送信機は、発生されたレポートのシーケンスを含むＯＦＤＭ信号を、送信アンテナ３６２を通して送信する。いくつかの実施形態では、発生されたレポートのシーケンスは、専用制御チャネルレポートに対応する。
【００２８】
図４は、さまざまな実施形態にしたがって実現された、例示的な通信デバイス４００、例えば基地局の図である。例示的な通信デバイス４００は、図１中の例示的な基地局（１０２、１０４）のうちの任意のものであってもよい。例示的な通信デバイス４００は、バス４１６を通して互いに結合された、受信機モジュール４０４と、送信機モジュール４０８と、プロセッサ４１０と、Ｉ／Ｏインターフェース４１２と、メモリ４１４とを含み、バス４１６上でさまざまな構成部品がデータおよび情報を交換する。メモリ４１４は、ルーチン４１８と、データ／情報４２０とを含む。プロセッサ４１０、例えばＣＰＵは、ルーチン４１８を実行し、メモリ４１４中のデータ／情報４２０を使用して、通信デバイス４００の動作を制御して、方法を実現する。
【００２９】
受信機モジュール４０４、例えばＯＦＤＭ受信機は、受信アンテナ４０２に結合され、受信アンテナ４０２を通して、通信デバイス４００は、複数のワイヤレス端末からのアップリンク信号を受信する。受信アップリンク信号は、制御チャネル信号、例えば、専用制御チャネルレポートを伝送する専用制御チャネル信号を含む。いくつかの実施形態では、受信アップリンク信号はまた、制御チャネル情報レポーティングフォーマット定義情報、例えば制御チャネルフォーマット情報を含み、制御チャネルフォーマット情報は、ワイヤレス端末により決定されたカスタムレポーティングフォーマットに対応する。
【００３０】
送信機モジュール４０８、例えばＯＦＤＭ送信機は、送信アンテナ４０６に結合されており、送信アンテナ４０６を通して、通信デバイス４００は、複数のワイヤレス端末に対してダウンリンク信号を送信する。いくつかの実施形態では、送信されたダウンリンク信号は、制御チャネル情報レポーティングフォーマット定義情報、例えば制御チャネルフォーマット情報を含み、制御チャネルフォーマット情報は、通信デバイス４００、例えば基地局４００によって決定されたカスタムレポーティングフォーマットに対応する。
【００３１】
さまざまな実施形態にしたがうと、ワイヤレス端末のネットワークアタッチメントポイントとして、通信デバイス４００、例えば基地局４００を使用する、異なるワイヤレス端末は、アップリンク制御情報レポートをレポートするために、異なるカスタムレポーティングフォーマット、例えば、異なる専用制御チャネルレポーティングフォーマットを使用することができ、実際に使用していることもある。例えば、カスタマイズされたレポーティングフォーマットのそれぞれは、特定のワイヤレス端末の現在の属性、要望、および／または条件、ならびに／あるいは、ワイヤレス端末が現在動作している環境に対して調整されてもよい。
【００３２】
Ｉ／Ｏインターフェースモジュール４１２は、通信デバイス４００を他のネットワークノードおよび／またはインターネットに結合させる。Ｉ／Ｏインターフェース４１２は、通信デバイス４００をバックホールネットワークに結合させて、基地局４００をそのネットワークアタッチメントポイントとして使用するＷＴが、別の基地局をそのネットワークアタッチメントポイントとして使用するピアノードとの通信セッションに容易に参加できるようにする。
【００３３】
ルーチン４１８は、制御情報レポート回復モジュール４２２と、レポーティングフォーマット制御モジュール４２４とを含む。いくつかの実施形態では、ルーチン４１８は、カスタム制御情報レポーティングフォーマット発生モジュールを含む。制御情報レポート回復モジュール４２２を使用して、受信された制御情報信号を処理し、制御情報レポート情報を回復させる。制御情報レポート回復モジュール４２２は、ワイヤレス端末毎のベースで動作するが、ワイヤレス端末に対応する選択されたレポーティングフォーマット情報を使用して、ワイヤレス端末からの制御情報レポート信号を処理するのに、どの特定の組の記憶されたフォーマット情報を利用すべきかを識別する。例えば、レポート回復モジュール４２２が、ＷＴ１からの受信制御情報レポート信号４４０を処理していることを考えると、選択されたレポーティングフォーマット情報４３８がカスタムレポーティングフォーマットを識別する場合、記憶された制御情報レポーティングフォーマット定義情報４３６が利用され；しかしながら、選択されたレポーティングフォーマット情報４３８がデフォルトフォーマットを識別する場合、次に、記憶されたデフォルトレポーティングフォーマット情報４３４が利用される。
【００３４】
レポーティングフォーマット制御モジュール４２４は、デバイス能力情報と、チャネル条件情報と、アプリケーション情報と、サービス品質情報と、システム負荷情報と、コマンド制御信号とのうちの少なくとも１つをチェックし；レポーティングフォーマット制御モジュール４２４は、チェックの結果の関数として、可能性ある異なるフォーマットの間での切替を制御する。レポーティングフォーマット制御モジュール４２４は、評価サブモジュール４２６と、切替制御サブモジュール４２８とを含む。評価サブモジュール４２６は、デバイス能力情報と、チャネル条件情報と、アプリケーション情報と、サービス品質情報と、システム負荷情報とのうちの少なくとも１つを、例えば、予め定められた基準に対してチェックし、および／または、コマンド制御信号の存在をチェックする。いくつかの実施形態では、例えば、可能性ある複数のカスタムレポーティングフォーマットに対応して、複数の組の記憶された制御情報レポーティングフォーマット定義情報４３６が記憶されており、評価サブモジュール４２６を使用して、前記複数の代替フォーマットの間で選択する。切替制御サブモジュール４２８は、評価サブモジュール４２６による決定に応答して、例えば、デフォルトレポーティングフォーマットから第１のカスタムレポーティングフォーマットへの、第１のカスタムレポーティングフォーマットから第２のカスタムレポーティングフォーマットへの、および／または、カスタムレポーティングフォーマットからデフォルトレポーティングフォーマットに戻る、制御情報レポーティングフォーマットの切替を実現する。カスタム制御情報レポーティングフォーマット発生モジュール４２５は、ワイヤレス端末に対して、カスタム制御情報レポーティングフォーマット、例えば、その専用制御チャネルシグナリングに対する制御情報レポーティングフォーマットを発生させ、この制御情報レポーティングフォーマットは、ワイヤレス端末の、現在のアプリケーション、要望、要求、条件、能力、および／または、環境に適応するように調整されている。
【００３５】
データ／情報４２０は、複数の組のワイヤレス端末データ／情報（ＷＴ１データ／情報４３０、・・・、ＷＴＮデータ／情報４３２）と、記憶されたデフォルトレポーティングフォーマット情報４３４とを含む。ＷＴ１データ／情報は、記憶された制御情報レポーティングフォーマット情報４３６と、選択されたレポーティングフォーマット情報４３８と、受信制御情報レポート情報４４０と、回復された制御情報レポート情報４４２とを含む。ＷＴ１データ／情報４３０は、受信制御情報レポーティングフォーマット情報４５６と、送信された制御情報レポーティングフォーマット情報４５８とのうちの少なくとも１つを含み、受信制御情報レポーティングフォーマット情報４５６は、例えば、アップリンク制御情報レポートに対してＷＴ１によって決定された、カスタマイズされた制御情報レポーティングフォーマットであり、送信された制御情報レポーティングフォーマット情報４５８は、例えば、アップリンク制御情報レポートに対してＷＴ１によって使用するために、ＢＳ４００によって決定されたカスタマイズされた制御情報レポーティングフォーマットである。少なくともいくつかの記憶された制御情報レポーティングフォーマット情報４３６は、情報４５６と情報４５８とのうちの１つに対応する。
【００３６】
記憶された制御情報レポーティングフォーマット定義情報４３６、例えば、カスタムレポーティングフォーマット定義情報は、複数のレポート定義情報（レポート１定義情報４４４、レポートＸ定義情報４４６）と、１組のレポート情報４４８と、レポーティングスケジュール情報４５０、例えばＷＴ１によってレポートが送信されることになるシーケンスを示す情報と、コーディングおよび変調スキーム情報４５２、例えば伝達される１組の制御情報レポートに適用されることになるコーディングおよび変調スキームを指定する情報とを含む。レポート１定義情報４４４は、マッピング情報４５４を含む。マッピング情報４５４は、前記レポート中で伝達される情報と、可能性あるレポート値との間のマッピングを規定する。選択されたレポーティングフォーマット４３８は、例えば、ＷＴ１が、カスタムレポーティングフォーマット定義情報４３６、または、記憶されたデフォルトレポーティングフォーマット情報４３４を使用しているか否かを示す。選択されたレポーティングフォーマット情報４３８は、回復された制御情報レポート情報４４２を決定するために、受信制御情報レポート４４０を処理するときに、制御情報レポート回復モジュール４２２によって使用される制御入力を表現する。
【００３７】
いくつかの実施形態では、ワイヤレス端末は、制御情報レポーティングフォーマット情報、例えば、カスタム制御情報レポーティングフォーマットを発生させ、この情報を基地局に伝達し、基地局は、カスタムレポーティングフォーマットにしたがって、制御情報レポートを受信するだろう。いくつかの実施形態では、基地局は、制御情報レポーティングフォーマット情報、例えばカスタム制御情報レポーティングフォーマットを発生させ、この情報をワイヤレス端末に伝達し、ワイヤレス端末は、カスタムレポーティングフォーマットにしたがって、制御情報レポートを発生させるだろう。したがって、さまざまな実施形態にしたがって、基地局は、複数の異なるワイヤレス端末から、制御情報レポート、例えば専用制御チャネル情報レポートを受信してもよく、実際に受信していることもあり、ここで、少なくともいくつかの複数の異なるワイヤレス端末は、異なるカスタムレポーティングフォーマットを使用する。加えて、同一のワイヤレス端末は、異なる時間において、異なるカスタムレポーティングフォーマットを使用してもよく、実際に使用していることがあり、例えば、ここで、特定のレポートは、現在のデバイス能力情報、システム負荷条件、要望、アプリケーション、サービス品質情報、および／または、チャネル条件に適応するように調整されている。
【００３８】
図５は、さまざまな実施形態にしたがった、例示的な通信デバイス、例えば、移動体ノードのようなワイヤレス端末の図である。例示的な通信デバイス５００は、図１の例示的なワイヤレス端末（１１０、１１２、１１４、１１６）の任意のものであってもよい。この例示的な実施形態では、ワイヤレス端末は、デフォルト制御情報レポーティングフォーマットをサポートし、そして、時として、追加のレポーティングフォーマット、例えば１つ以上のカスタム制御レポーティングフォーマットをサポートする。例えば、カスタムレポーティングフォーマットが基地局によって決定されてもよく、後での使用のために通信デバイス５００にダウンロードされてもよく、および／または、基地局が後での制御情報レポートの解釈のために情報を使用できるように、カスタム制御情報レポーティングフォーマットが通信デバイス５００によって決定されてもよく、基地局に送信されてもよい。さまざまな実施形態では、制御情報レポーティングフォーマットは、アップリンク専用制御チャネルレポートに適用される。例示的な通信デバイス５００は、バス５１４を通して互いに結合された、受信機モジュール５０４と、送信機モジュール５０８と、プロセッサ５１０と、メモリ５１２とを含み、バス５１４上でさまざまな構成部品がデータおよび情報を交換する。メモリ５１２は、ルーチン５１６と、データ／情報５１８とを含む。プロセッサ５１０、例えばＣＰＵは、ルーチン５１６を実行し、メモリ５１２中のデータ／情報５１８を使用して、通信デバイスの動作を制御し、方法を実現する。
【００３９】
受信機モジュール５０４、例えばＯＦＤＭ受信機は、受信アンテナ５０２に結合され、受信アンテナ５０２を通して、通信デバイスは、信号、例えば基地局からのダウンリンク信号を受信する。いくつかの実施形態では、受信信号は、受信制御情報レポーティングフォーマット定義情報を含む。送信機モジュール５０８、例えばＯＦＤＭ送信機は、送信アンテナ５０６に結合されており、送信アンテナ５０６を通して、通信デバイス５００は、基地局に対して信号、例えばアップリンク信号を送信する。いくつかの実施形態では、送信信号は、記憶されたレポーティングフォーマットにしたがった、制御チャネルレポート、例えば専用制御チャネルレポートを含む。例えば、記憶されたレポーティングフォーマットは、時として、デフォルトレポーティングフォーマットであり、他方、他の時には、レポーティングフォーマットは、カスタムレポーティングフォーマットである。いくつかの実施形態では、通信デバイス５００が使用するカスタムレポーティングフォーマットを、別のノード、例えば基地局が決定し、別のノードが制御情報レポーティングフォーマット定義情報を通信デバイス５００に送信し、制御情報レポーティングフォーマット定義情報は受信機モジュール５０４を通して、受信制御情報レポーティングフォーマット定義情報５４６として受信される。いくつかの実施形態では、通信デバイス５００が使用するためのカスタムレポーティングフォーマットを、通信デバイス５００が決定し、通信デバイス５００が、別のノード、例えば基地局に対して制御情報レポーティングフォーマット定義情報５４８を送信する。このようにして、通信デバイス５００と、他のノード、例えば基地局との両方が、同一のカスタム制御情報レポーティングフォーマット定義を適用して、伝達される情報レポート、例えば制御チャネルレポートを制御する。
【００４０】
ルーチン５１６は、制御情報レポート発生モジュール５２４と、レポーティングフォーマット制御モジュール５２６とを含む。いくつかの実施形態では、ルーチン５１６は、カスタム制御情報レポーティングフォーマット発生モジュール５２７を含む。レポーティングフォーマット制御モジュール５２６は、評価サブモジュール５２８と、切替制御サブモジュール５３０とを含む。制御情報レポート発生モジュール５２４は、ｉ）受信レポーティングフォーマット定義情報と、ｉｉ）送信レポーティングフォーマット定義情報とのうちの少なくとも１つにしたがって、制御情報レポートを発生させる。
【００４１】
データ／情報５１８は、記憶された制御情報レポーティングフォーマット定義情報５３２と、記憶されたデフォルトレポーティングフォーマット情報５３４とを含む。データ／情報５１８は、受信制御情報レポーティングフォーマット定義情報５４６と、送信制御情報レポーティングフォーマット定義情報５４８とのうちの少なくとも１つを含む。情報５４６および／または情報５４８は、記憶された制御情報レポーティングフォーマット定義情報５３２中の情報のうちの少なくともいくつかのものに対応する。記憶された制御情報レポーティングフォーマット定義情報５３２、例えば、ワイヤレス端末５００によって使用されることになるカスタムレポーティングフォーマットは、複数のレポート定義情報（レポート１定義情報５３６、・・・、レポートＸ定義情報５３８）と、１組のレポート情報５４０と、レポーティングスケジュール情報５４２と、コーディングおよび変調情報５４４とを含む。
【００４２】
レポート１定義情報５３６は、特定の情報ビットサイズを備える特定のタイプのレポート、例えば、４ビットアップリンク要求レポート、５ビットＳＮＲレポート、５ビット遅延情報レポート等に対応する情報を含む。レポート１定義情報５３６は、特定のタイプの制御情報を複数の情報ビットパターンのうちの１つにマッピングするマッピング情報５４６を含む。したがって、マッピング情報５４６は、発生されるレポート中に含まれることになる情報と、可能性あるレポート値との間のマッピングを規定する。１組のレポート情報５４０は、カスタムレポーティングフォーマットに対して使用される異なるタイプのレポートを識別する情報を含む。レポーティングスケジュール情報５４２は、異なるタイプのレポートが送信されることになるシーケンスを示す情報を含む。例えば、レポーティングスケジュール情報５４２は、予め定められたレポーティングスケジュール中の、レポートタイプの順序付けられたシーケンスを識別してもよい。代わりに、または加えて、レポーティングスケジュール情報は、伝達されることになるレポートに対する時間間隔を識別する情報を含んでもよく、例えば、送信されることになる制御情報レポートのシーケンスを搬送するために、ＯＦＤＭシンボル送信時間間隔が使用される。コーディングおよび変調スキーム情報５４４は、使用されるコーディングレート、変調スキーム、および／または変調コンステレーションを識別する情報を含む。コーディングおよび変調スキーム情報５４４は、このレポーティングフォーマットを使用するときに伝達されることになる規定された１組のレポートに適用されるコーディングおよび変調スキームを指定する情報を含む。
【００４３】
記憶されたデフォルトレポーティングフォーマット情報５３４は、情報５３２に対する同様な組の情報を含む。いくつかの実施形態では、別の通信デバイスから制御情報レポーティングフォーマット情報を受信する前に、または、前記別の通信デバイスに制御情報レポーティングフォーマット定義情報を送信する前に、前記別の通信デバイス、例えば別の基地局と通信するときに、デフォルトレポーティングフォーマット情報５３４を使用することになる。いくつかのこのような実施形態では、前記別の通信デバイスとの最初の通信のために、記憶されたデフォルトレポーティングフォーマット情報５３４を使用する。
【００４４】
レポーティングフォーマット制御モジュール５２６は、デバイス能力情報と、チャネル条件情報と、アプリケーション情報と、サービス品質情報と、システム負荷情報と、コマンド制御信号とのうちの少なくとも１つをチェックするのに使用され、そして、前記チェックの結果として、別のフォーマットに切り替えること、例えば、情報５３２により規定され、受信または送信された、カスタムレポーティングフォーマットに切り替えることを制御するのに使用される。評価サブモジュール５２８は、デバイス能力情報と、チャネル条件情報と、アプリケーション情報と、サービス品質情報と、システム負荷情報とのうちの少なくとも１つを、例えば、予め定められた基準に対してチェックし、および／または、コマンド制御信号の存在をチェックする。いくつかの実施形態では、例えば、複数の潜在的なカスタムレポーティングフォーマットに対応して、複数の組の記憶された制御情報レポーティングフォーマット定義情報５３２が記憶されており、評価サブモジュール５２８を使用して、前記複数の代替フォーマットの間で選択する。切替制御サブモジュール５３０は、評価サブモジュール５２８による決定に応答して、例えば、デフォルトレポーティングフォーマットから第１のカスタムレポーティングフォーマットへの制御情報レポーティングフォーマットの切替と、第１のカスタムレポーティングフォーマットから第２のカスタムレポーティングフォーマットへの制御情報レポーティングフォーマットの切替と、カスタムレポーティングフォーマットからデフォルトレポーティングフォーマットに戻る制御情報レポーティングフォーマットの切替とを実現する。
【００４５】
カスタム制御情報レポーティングフォーマット発生モジュール５２７は、その専用制御チャネルシグナリングに続いて、ワイヤレス端末５００に対して、カスタム制御情報レポーティングフォーマット、例えば、使用されることになる制御情報レポーティングフォーマットを発生させ、前記発生されたカスタム制御情報レポーティングフォーマットは、ワイヤレス端末の、現在のアプリケーション、要望、要求、条件、能力、および／または、環境に適応するように調整されている。
【００４６】
図６は、第１の通信デバイスを動作させて、第２の通信デバイスと対話させる例示的な方法のフローチャート６００である。例えば、第１の通信デバイスは、ワイヤレス端末であってもよく、第２の通信デバイスは、基地局であってもよく、前記第１および第２の通信デバイスは、多元接続ワイヤレス通信システム、例えば、ＯＦＤＭ多元接続ワイヤレス通信システムに含まれている。
【００４７】
動作は、ステップ６０２において開始し、ここで、第１の通信デバイスが、電源投入され、初期化される。動作は、開始ステップ６０２からステップ６０４に進む。ステップ６０４において、第１の通信デバイスは、送信されることになる１組の制御情報レポートを決定し、前記１組の制御情報レポートは第１のレポーティングフォーマットに対応する。ステップ６０４は、サブステップ６０６を含み、ここで、第１の通信デバイスは、複数の予め定められたレポーティングフォーマットの間で選択する。いくつかの実施形態では、前記複数の予め定められたレポーティングフォーマットのそれぞれは、複数の異なるタイプのレポートと、前記異なるタイプのレポートの順序とを指定する。さまざまな実施形態では、異なるレポートタイプは、ＳＮＲレポートと、トラフィック要求レポートと、電力情報レポートと、干渉レポートとのうちの少なくとも２つを含む。いくつかのこのような実施形態では、レポーティングフォーマットは、前記異なるタイプのレポート中で伝達されることになる制御情報、例えば、レポートパラメータ、レポートパラメータユニット、量子化レベル情報、および／またはビットマッピング情報をさらに指定する。動作は、ステップ６０４からステップ６０８に進む。
【００４８】
ステップ６０８において、第１の通信デバイスは、決定された１組のレポートを発生させ、次に、ステップ６１０において、第１の通信デバイスは、発生された１組のレポートを伝達する。ステップ６１０は、サブステップ６１２と、サブステップ６１４と、サブステップ６１６とを含む。サブステップ６１２において、第１の通信デバイスは、決定されたレポーティングフォーマットにしたがって、異なるタイプの発生されたレポートを多重化する。動作は、サブステップ６１２からサブステップ６１４に進む。サブステップ６１４において、第１の通信デバイスは、発生され、多重化された１組のレポート上でコーディングおよび変調動作を実行して、１組のコード化されたシンボルを発生させる。いくつかの実施形態では、コーディングおよび変調のステップは、規定されたレポーティングフォーマットに対応する、予め定められたコーディングおよび変調スキームを使用することを含み、ここで、前記複数のレポーティングフォーマットのうちの少なくともいくつかに対して、異なるコーディングおよび変調スキームが使用される。次に、サブステップ６１６において、第１の通信デバイスは、コード化シンボルを、ワイヤレス通信チャネルのセグメントにマッピングする。例えば、ＢＰＳＫまたはＱＰＳＫ変調シンボルのような、１組の順序付けられたコード化変調シンボルが、専用制御チャネルセグメントの順序付けられたシーケンスにマッピングされる。動作はステップ６１０からステップ６０４に進み、ここで、第１の通信デバイスは、送信されることになる別の１組の制御情報レポートを決定する。
【００４９】
図７は、第１の通信デバイスを動作させて、第２の通信デバイスと対話させる例示的な方法のフローチャート７００である。例えば、第１の通信デバイスは、ワイヤレス端末であってもよく、第２の通信デバイスは、基地局であってもよく、前記第１および第２の通信デバイスは、多元接続ワイヤレス通信システム、例えば、ＯＦＤＭ多元接続ワイヤレス通信システムに含まれている。
【００５０】
動作は、ステップ７０２において開始し、ここで、第１の通信デバイスが、電源投入され、初期化される。動作は、開始ステップ７０２からステップ７０４に進む。ステップ７０４において、第１の通信デバイスは、送信されることになる１組の制御情報レポートを決定し、前記１組の制御情報レポートは第１のレポーティングフォーマットに対応する。ステップ７０４は、サブステップ７０６を含み、ここで、第１の通信デバイスは、前記第１および第２の通信デバイスのうちの１つによって実行されているアプリケーションの関数として、レポーティングフォーマットを選択する。
【００５１】
いくつかの実施形態では、アプリケーションは、音声およびデータのアプリケーションのうちの１つである。いくつかのこのような実施形態では、音声アプリケーションに応答して選択されたレポーティングフォーマットは、待ち時間レポートを含み、データアプリケーションに応答して選択されたレポーティングフォーマットは、音声に対して使用されるフォーマットよりも、より少ない頻度であるが、音声に対して使用されるよりも、平均でアップリンク要求当たりより多くのビットを有するアップリンク要求レポートを含む。
【００５２】
いくつかの実施形態では、前記複数の予め定められたレポーティングフォーマットのそれぞれが、複数の異なるタイプのレポートと、前記異なるタイプのレポートの順序とを指定する。さまざまな実施形態では、異なるレポートタイプは、ＳＮＲレポートと、トラフィック要求レポートと、電力情報レポートと、干渉レポートとのうちの少なくとも２つを含む。いくつかのこのような実施形態では、レポーティングフォーマットは、前記異なるタイプのレポート中で伝達されることになる制御情報、例えば、レポートパラメータ、レポートパラメータユニット、量子化レベル情報、および／またはビットマッピング情報をさらに指定する。動作は、ステップ７０４からステップ７０８に進む。
【００５３】
ステップ７０８において、第１の通信デバイスは、決定された１組のレポートを発生させ、次に、ステップ７１０において、第１の通信デバイスは、発生された１組のレポートを伝達する。動作はステップ７１０からステップ７０４に進み、ここで、第１の通信デバイスは、送信されることになる別の１組の制御情報レポートを決定する。
【００５４】
図８は、第１の通信デバイスを動作させて、第２の通信デバイスと対話させる例示的な方法のフローチャート８００である。例えば、第１の通信デバイスは、ワイヤレス端末であってもよく、第２の通信デバイスは、基地局であってもよく、前記第１および第２の通信デバイスは、多元接続ワイヤレス通信システム、例えば、ＯＦＤＭ多元接続ワイヤレス通信システムに含まれている。
【００５５】
動作は、ステップ８０２において開始し、ここで、第１の通信デバイスが、電源投入され、初期化される。動作は、開始ステップ８０２からステップ８０４に進む。ステップ８０４において、第１の通信デバイスは、送信されることになる１組の制御情報レポートを決定し、前記１組の制御情報レポートは第１のレポーティングフォーマットに対応する。ステップ８０４は、サブステップ８０６を含み、ここで、第１の通信デバイスは、デバイス能力情報と、チャネル条件と、システム負荷と、サービス品質情報とのうちの少なくとも１つの関数として、レポーティングフォーマットを決定する。デバイス能力情報は、例えば、アンテナの数に関する情報と、受信機チェーンの数に関する情報と、電力情報と、サポートされるデータレートと、サポートされる変調スキームと、受信機感度と、自己雑音情報と、アプリケーションサポートとを含む。例えば、ワイヤレス端末は、デバイス能力、例えば、音声可能セル電話機と、音声およびデータ可能セル電話機と、データ端末と、音声およびデータ端末との関数として、サブグループに分類されてもよい。別の例示的な分類は、移動能力に関するものであってもよい。いくつかのワイヤレス端末は、据え置き動作に適しており、動的動作を意図していないかもしれず、他のものは、第１の移動レートまでの移動動作に適しているかもしれず、さらに他のものは、第２の移動レートまでの移動動作に適しているかもしれず、前記第２のレートは、前記第１のレートよりも、より高い。いくつかの実施形態では、使用されることになるレポーティングフォーマットを決定するために、電力情報も使用してもよい。電力情報は、電源情報、例えばバッテリ−外部電源と、異なる電力モード、例えば通常通信モードおよび節電モードと、残りのバッテリ電力情報と、送信電力レベル情報と、バッテリ電力の利用レート等とを含んでもよい。
【００５６】
いくつかの実施形態では、前記複数の予め定められたレポーティングフォーマットのそれぞれが、複数の異なるタイプのレポートと、前記異なるタイプのレポートの順序とを指定する。さまざまな実施形態では、異なるレポートタイプは、ＳＮＲレポートと、トラフィック要求レポートと、電力情報レポートフォーマットと、干渉レポートと、遅延レポートとのうちの少なくとも２つを含む。いくつかのこのような実施形態では、レポーティングフォーマットは、前記異なるタイプのレポート中で伝達されることになる制御情報、例えば、レポートパラメータ、レポートパラメータユニット、量子化レベル情報、および／またはビットマッピング情報をさらに指定する。動作は、ステップ８０４からステップ８０８に進む。
【００５７】
ステップ８０８において、第１の通信デバイスは、決定された１組のレポートを発生させ、次に、ステップ８１０において、第１の通信デバイスは、発生された１組のレポートを伝達する。動作はステップ８１０からステップ８０４に進み、ここで、第１の通信デバイスは、送信されることになる別の１組の制御情報レポートを決定する。
【００５８】
図９は、第２の通信デバイスと対話する、第１の通信デバイスを動作させる例示的な方法のフローチャート９００である。例えば、第１の通信デバイスは、ワイヤレス端末であってもよく、第２の通信デバイスは、基地局であってもよく、前記第１および第２の通信デバイスは、多元接続ワイヤレス通信システム、例えば、ＯＦＤＭ多元接続ワイヤレス通信システムに含まれている。
【００５９】
動作は、ステップ９０２において開始し、ここで、第１の通信デバイスが、電源投入され、初期化される。動作は、開始ステップ９０２からステップ９０４に進む。ステップ９０４において、第１の通信デバイスは、前記第２の通信デバイスと通信するときに、デフォルトレポーティングフォーマットを使用する。次に、ステップ９０６において、第１の通信デバイスは、ワイヤレス通信リンクを通して、制御情報レポーティングフォーマット定義情報の受信および送信のうちの少なくとも１つを実行する。いくつかの実施形態では、ワイヤレス通信リンク上で伝達されるレポーティングフォーマット定義情報は、レポーティングフォーマットを規定するのに十分なものである。例えば、ワイヤレスリンク上で伝達されるレポーティングフォーマット定義情報は、複数の異なるタイプのレポートに対応する個別のレポートフォーマット情報と、レポーティングシーケンス情報とを含んでもよい。いくつかの実施形態では、ワイヤレス通信リンク上で伝達されるレポーティングフォーマット定義情報は、レポーティングフォーマットを規定するために、予め記憶された情報と組み合わせて使用される。例えば、第１および第２の通信デバイスは、複数の異なるタイプのレポートに対応する、予め記憶された複数の個別のレポートフォーマット定義を持っていていてもよく、ワイヤレスリンク上で伝達されるレポーティングフォーマット定義情報は、これらの異なるタイプのレポートのサブセットと、識別されたサブセットのメンバに対応するレポートの順序付けられたシーケンスとを含んでもよい。動作はステップ９０６からステップ９０８に進む。ステップ９０８において、第１の通信デバイスは、受信および送信されたレポーティングフォーマット定義情報のうちの１つにしたがって、制御情報レポートを発生させる。
【００６０】
いくつかの実施形態では、レポーティングフォーマットは、例えば、複数の異なるレポートに対する、制御情報レポート中に含まれることになる情報を、可能性あるレポート値にマッピングする定義を提供する。例えば、レポーティングフォーマットは、５ビットＳＮＲレポートに対するレポート定義、１ビットアップリンクトラフィックチャネル要求レポートに対するレポート定義、３ビットアップリンクトラフィックチャネル要求レポートに対するレポート定義、４ビット電力レポートに対するレポート定義等を含む。さまざまな実施形態では、レポーティングフォーマットは、レポーティングスケジュールを規定し、このレポーティングスケジュールにしたがって、レポートが送信されることになる。いくつかの実施形態では、レポーティングフォーマットは、規定されたレポーティングスケジュールにしたがって送信されることになる１組のレポートを規定する。レポーティングフォーマットは、１組のレポートに対して適用されることになるコーディングおよび変調スキームを指定してもよく、実際に指定していることもある。
【００６１】
図１０は、第２の通信デバイスと対話する、第１の通信デバイスを動作させる例示的な方法のフローチャート１０００である。例えば、第１の通信デバイスは、ワイヤレス端末であってもよく、第２の通信デバイスは、基地局であってもよく、前記第１および第２の通信デバイスは、多元接続ワイヤレス通信システム、例えば、ＯＦＤＭ多元接続ワイヤレス通信システムに含まれている。
【００６２】
動作は、ステップ１００２において開始し、ここで、第１の通信デバイスが、電源投入され、初期化される。動作は、開始ステップ１００２からステップ１００４に進む。ステップ１００４において、第１の通信デバイスは、前記第２の通信デバイスと通信するときに、現在のレポーティングフォーマットとしてデフォルトレポーティングフォーマットを使用する。次に、ステップ１００６において、第１の通信デバイスは、ワイヤレス通信リンクから、制御情報レポーティングフォーマット定義情報の受信および送信のうちの少なくとも１つを実行する。いくつかの実施形態では、レポーティングフォーマット定義情報は、基地局、例えば、第１の通信デバイスがその現在のアタッチメントポイントとして使用している基地局から受信される。いくつかの実施形態では、レポーティングフォーマット定義情報は、集中型サーバから受信される。動作はステップ１００６からステップ１００８に進む。
【００６３】
ステップ１００８において、第１の通信デバイスは、デバイス能力情報と、チャネル条件と、アプリケーション情報と、サービス品質情報と、システム負荷とのうちの少なくとも１つをチェックする。次に、ステップ１０１０において、第１の通信デバイスは、ステップ１００８のチェックの結果が、レポーティングフォーマットを変更すべきことを示しているか否かを決定する。ステップ１０１０の決定が、レポーティングフォーマットを変更すべきである場合、次に、動作はステップ１０１２に進み；そうでなければ、動作はステップ１０１４に進む。ステップ１０１２において、第１のワイヤレス端末は、現在のレポーティングフォーマットを新しいレポーティングフォーマット、例えば、ワイヤレス通信リンクからの前記制御情報レポーティングフォーマット定義情報にしたがった、前記新しいレポーティングフォーマットに切り替える。動作はステップ１０１２からステップ１０１４に進む。ステップ１０１４において、第１の通信デバイスは、現在のレポートフォーマット定義情報にしたがって、制御情報レポートを発生させる。動作はステップ１０１４からステップ１００８に進み、ここで、第１の通信デバイスは、デバイス能力情報と、チャネル条件と、アプリケーション情報と、サービス品質情報と、システム負荷とのうちの少なくとも１つの別のチェックを実行する。
【００６４】
いくつかの実施形態では、レポーティングフォーマットは、前記レポート中に含まれることになる情報を、可能性あるレポート値にマッピングする定義を提供する。さまざまな実施形態では、レポーティングフォーマットは、レポーティングスケジュールを規定し、このレポーティングスケジュールにしたがって、レポートが送信されることになる。いくつかの実施形態では、レポーティングフォーマットは、規定されたレポーティングスケジュールにしたがって、送信されることになる１組のレポートを規定する。レポーティングフォーマットは、１組のレポートに対して適用されることになるコーディングおよび変調スキームを指定してもよく、実際に指定していることもある。
【００６５】
図１１は、いくつかの実施形態にしたがった機能を図示する図１１００である。第１、第２、および第３の行（１１０２、１１０４、１１０６）は、時間シーケンシャルな方法で、例示的な基地局１１０８と、例示的なワイヤレス端末１１１０とを図示する。例示的な基地局１１０８は、図２の例示的な基地局２００であってもよく、他方、例示的なワイヤレス端末１１１０は、図３の例示的なワイヤレス端末３００であってもよい。行１１０２をここで説明する。例示的な基地局１１０８は、複数の予め規定されたフォーマットに対応する専用制御チャネルレポーティングフォーマット情報（ＤＣＣＨレポーティングフォーマット１情報１１１２、ＤＣＣＨレポーティングフォーマット２情報１１１４、ＤＣＣＨレポーティングフォーマット３情報１１１６、ＤＣＣＨレポーティングフォーマット４情報１１１８）を含み、例示的なワイヤレス端末１１１０は、複数の予め規定されたフォーマットに対応する専用制御チャネルレポーティングフォーマット情報（ＤＣＣＨレポーティングフォーマット１情報１１２０、ＤＣＣＨレポーティングフォーマット２情報１１２２、ＤＣＣＨレポーティングフォーマット３情報１１２４、ＤＣＣＨレポーティングフォーマット４情報１１２６）を含む。この例示的な実施形態では、基地局１１０８は、アプリケーション情報、例えば音声またはデータと、デバイス能力情報と、ユーザサービス品質情報と、チャネル条件情報と、システム負荷情報と、システム環境情報とのうちの少なくとも１つの関数として、潜在的なレポーティングフォーマットのうちからレポーティングフォーマットを選択する。この例では、基地局１１０８は、矢印１１２８によって示したように、ＤＣＣＨレポーティングフォーマット２を選択する。次に、基地局１１０８は、ワイヤレス端末１１１０に対して、ワイヤレス端末にＤＣＣＨレポーティングフォーマット２を使用することを命令するフォーマット選択制御信号１１３０を送り、この制御信号をワイヤレス端末１１１０が受信する。
【００６６】
第２の行１１０４をここで説明する。ワイヤレス端末１１１０は、制御コマンド信号１１３０を処理し、矢印１１３２によって示したように、ＤＣＣＨレポーティングフォーマット２を使用することを選択する。
【００６７】
第３の行１１０６をここで説明する。ワイヤレス端末１１１０は、発生された情報１１３４によって示したように、ＤＣＣＨレポーティングフォーマット２にしたがって、アップリンクＤＣＣＨレポートのシーケンスを発生させる。ワイヤレス端末は、ＤＣＣＨレポート信号１１３６を基地局１１０８に送信する。基地局１１０８は、ＤＣＣＨレポート信号を受信し、ＤＣＣＨレポーティングフォーマット２情報１１１４を使用して、ＤＣＣＨレポート信号を処理し、回復されたＤＣＣＨレポート情報１１３８を取得する。
【００６８】
図１２は、いくつかの実施形態にしたがった機能を図示する図１２００である。第１、第２、および第３の行（１２０２、１２０４、１２０６）は、時間シーケンシャルな方法で、例示的な基地局１２０８と、例示的なワイヤレス端末１２１０とを図示する。例示的な基地局１２０８は、図２の例示的な基地局２００であってもよく、他方、例示的なワイヤレス端末１２１０は、図３の例示的なワイヤレス端末３００であってもよい。行１２０２をここで説明する。例示的な基地局１２０８は、複数の予め定められたフォーマットに対応する専用制御チャネルレポーティングフォーマット情報（ＤＣＣＨレポーティングフォーマット１情報１２１２、ＤＣＣＨレポーティングフォーマット２情報１２１４、ＤＣＣＨレポーティングフォーマット３情報１２１６、ＤＣＣＨレポーティングフォーマット４情報１２１８）を含み、例示的なワイヤレス端末１２１０は、複数の予め定められたフォーマットに対応する専用制御チャネルレポーティングフォーマット情報（ＤＣＣＨレポーティングフォーマット１情報１２２０、ＤＣＣＨレポーティングフォーマット２情報１２２２、ＤＣＣＨレポーティングフォーマット３情報１２２４、ＤＣＣＨレポーティングフォーマット４情報１２２６）を含む。この例示的な実施形態では、ワイヤレス端末１２１０は、アプリケーション情報、例えば音声またはデータと、デバイス能力情報と、ユーザサービス品質情報と、チャネル条件情報と、システム負荷情報と、システム環境情報とのうちの少なくとも１つの関数として、潜在的なレポーティングフォーマットのうちからレポーティングフォーマットを選択する。この例では、ワイヤレス端末１２１０は、矢印１２２８によって示したように、ＤＣＣＨレポーティングフォーマット２を選択する。次に、ワイヤレス端末１２１０は、基地局１２０８に対して、基地局にＤＣＣＨレポーティングフォーマット２を使用することを命令するフォーマット選択制御信号１２３０を送り、この制御信号を基地局１２０８が受信する。
【００６９】
第２の行１２０４をここで説明する。基地局１２０８は、制御コマンド信号１２３０を処理し、矢印１２３２によって示したように、ＤＣＣＨレポーティングフォーマット２を使用することを選択する。
【００７０】
第３の行１２０６をここで説明する。ワイヤレス端末１２１０は、発生された情報１２３４によって示したように、ＤＣＣＨレポーティングフォーマット２にしたがって、アップリンクＤＣＣＨレポートのシーケンスを発生させる。ワイヤレス端末１２１０は、ＤＣＣＨレポート信号１２３６を基地局１２０８に送信する。基地局１２０８は、ＤＣＣＨレポート信号を受信し、ＤＣＣＨレポーティングフォーマット２情報１２１４を使用して、ＤＣＣＨレポート信号を処理し、回復されたＤＣＣＨレポート情報１２３８を取得する。
【００７１】
図１３は、いくつかの実施形態にしたがった機能を図示する図１３００である。第１、第２、および第３の行（１３０２、１３０４、１３０６）は、時間シーケンシャルな方法で、例示的な基地局１３０８と、例示的なワイヤレス端末１３１０とを図示する。例示的な基地局１３０８は、図４の例示的な基地局４００であってもよく、他方、例示的なワイヤレス端末１３１０は、図５の例示的なワイヤレス端末５００であってもよい。行１３０２をここで説明する。例示的な基地局１３０８は、専用制御チャネル（ＤＣＣＨ）デフォルトレポーティングフォーマット情報１３１２と、カスタムＤＣＣＨレポーティングフォーマット１情報１３１４とを含み、例示的なワイヤレス端末１３１０は、ＤＣＣＨデフォルトレポーティングフォーマット情報１３１６を含む。カスタムＤＣＣＨレポーティングフォーマット１は、例えば、ワイヤレス端末１３１０に対して調整された、例えば、ＷＴ１３１０の現在の条件、要望、状況等に適応するように調整された、レポーティングフォーマットである。例えば、いくつかの実施形態では、カスタムＤＣＣＨレポーティングフォーマット１は、アプリケーション情報、例えば音声またはデータと、デバイス能力情報と、ユーザサービス品質情報と、チャネル条件情報と、システム負荷情報と、システム環境情報とのうちの少なくとも１つの関数として構成される。いくつかの実施形態では、カスタムレポーティングフォーマット１は、基地局１３０８によって発生される。代わりに、または追加的に、カスタムＤＣＣＨレポーティングフォーマット１は、例えば、ワイヤレス端末１３１０に、例えば、アップグレードの一部として伝送されることになる、新しいリリースフォーマットである。次に、基地局１３０８は、ワイヤレス通信チャネル上で、ワイヤレス端末１３１０に対して、カスタムＤＣＣＨレポーティングフォーマット１情報信号１３１８を送信し、ワイヤレス端末１３１０が信号１３１８を受信する。信号１３１８は、例えば、カスタムＤＣＣＨレポーティングフォーマットを規定する、１組の情報、例えば、複数の個別レポート定義情報と、複数の個別レポートのシーケンスを識別する情報と、コーディングおよび変調スキームを識別する情報と、繰り返し時間間隔を規定する情報とを伝送する。代わりに、信号１３１８は、例えば、カスタムＤＣＣＨレポーティングフォーマット１を規定する情報のいくつかを伝送し、１組のカスタムＤＣＣＨレポーティングフォーマット１情報は、信号１３１８と、いくつかの予め記憶された情報とから構成し得る。例えば、ワイヤレス端末１３１０は、複数の代替レポートに対応する、予め記憶されたレポート定義情報を持っていてもよく、信号１３１８は、繰り返し構造で伝達されることになるレポートの順序付けられたシーケンスに対する定義を伝送する。
【００７２】
第２の行１３０４をここで説明する。ワイヤレス端末１３１０は、カスタムＤＣＣＨレポーティングフォーマット１情報を伝送する受信信号１３１８を処理し、カスタムＤＣＣＨレポーティングフォーマット１情報１３２０を記憶する。
【００７３】
第３の行１３０６をここで説明する。ワイヤレス端末１３１０中のカスタムＤＣＣＨレポーティングフォーマット１情報１３２０を指す矢印１３２２と、基地局１３０８中のＤＣＣＨカスタムレポーティングフォーマット１情報１３１４を指す矢印１３２４とは、この時に、ＷＴ１３１０と基地局１３０８との両方がＤＣＣＨカスタムレポーティングフォーマット１を使用していることを示す。ワイヤレス端末１３１０は、情報１３２６によって示したように、カスタムＤＣＣＨレポーティングフォーマット１にしたがって、アップリンクＤＣＣＨレポートのシーケンスを発生させる。ワイヤレス端末１３１０は、基地局１３０８にＤＣＣＨレポート信号１３２８を送信する。基地局１３０８は、ＤＣＣＨレポート信号を受信し、ＤＣＣＨレポーティングフォーマット１情報１３１４を使用して、ＤＣＣＨレポート信号を処理し、回復されたＤＣＣＨレポート情報１３３０を取得する。
【００７４】
図１４は、いくつかの実施形態にしたがった機能を図示する図１４００である。第１、第２、および第３の行（１４０２、１４０４、１４０６）は、時間シーケンシャルな方法で、例示的な基地局１４０８と、例示的なワイヤレス端末１４１０とを図示する。例示的な基地局１４０８は、図４の例示的な基地局４００であってもよく、他方、例示的なワイヤレス端末１４１０は、図５の例示的なワイヤレス端末５００であってもよい。行１４０２をここで説明する。例示的な基地局１４０８は、専用制御チャネル（ＤＣＣＨ）デフォルトレポーティングフォーマット情報１４１２を含み、例示的なワイヤレス端末１４１０は、ＤＣＣＨデフォルトレポーティングフォーマット情報１４１４と、カスタムＤＣＣＨレポーティングフォーマット１情報１４１６とを含む。カスタムＤＣＣＨレポーティングフォーマット１は、例えば、ワイヤレス端末１４１０によって、ワイヤレス端末１４１０に対して調整された、例えば、ＷＴ１４１０の現在の条件、要望、状況等に適応するように調整された、レポーティングフォーマットである。例えば、いくつかの実施形態では、カスタムレポーティングフォーマット１は、アプリケーション情報、例えば音声またはデータと、デバイス能力情報と、ユーザサービス品質情報と、チャネル条件情報と、システム負荷情報と、システム環境情報とのうちの少なくとも１つの関数として構成される。次に、ワイヤレス端末１４１０は、ワイヤレス通信チャネル上で、基地局１４０８に対して、カスタムＤＣＣＨレポーティングフォーマット１情報信号１４１８を送信し、基地局１４０８が信号１４１８を受信する。信号１４１８は、例えば、カスタムＤＣＣＨレポーティングフォーマット１を規定する、１組の情報、例えば、複数の個別レポート定義情報と、複数の個別レポートのシーケンスを識別する情報と、コーディングおよび変調スキームを識別する情報と、繰り返し時間間隔を規定する情報とを伝送する。代わりに、信号１４１８は、例えば、カスタムＤＣＣＨレポーティングフォーマット１を規定する情報のいくつかを伝送し、１組のカスタムＤＣＣＨレポーティングフォーマット１情報は、信号１４１８と、いくつかの予め記憶された情報とから構成し得る。例えば、基地局１４１０は、複数の代替レポートに対応する、予め記憶されたレポート定義情報を持っていてもよく、信号１４１８は、例えば、繰り返し構造で通信されることになるレポートの順序付けられたシーケンスに対する定義を伝送する。
【００７５】
第２の行１４０４をここで説明する。基地局１４０８は、カスタムＤＣＣＨレポーティングフォーマット１情報を伝送する受信信号１４１８を処理し、カスタムＤＣＣＨレポーティングフォーマット１情報１４２０を記憶する。
【００７６】
第３の行１４０６をここで説明する。ワイヤレス端末１４１０中のカスタムＤＣＣＨレポーティングフォーマット１情報１４１６を指す矢印１４２２と、基地局１４０８中のＤＣＣＨカスタムレポーティングフォーマット１情報１４２０を指す矢印１４２４とは、この時に、ＷＴ１４１０と基地局１４０８との両方がＤＣＣＨカスタムレポーティングフォーマット１を使用していることを示す。ワイヤレス端末１４１０は、情報１４２６によって示したように、カスタムＤＣＣＨレポーティングフォーマット１にしたがって、アップリンクＤＣＣＨレポートのシーケンスを発生させる。ワイヤレス端末１４１０は、基地局１４０８にＤＣＣＨレポート信号１４２８を送信する。基地局１４０８は、ＤＣＣＨレポート信号を受信し、ＤＣＣＨレポーティングフォーマット１情報１４２０を使用して、ＤＣＣＨレポート信号を処理し、回復されたＤＣＣＨレポート情報１４３０を取得する。
【００７７】
図１５は、例示的なカスタム専用制御チャネルレポーティングフォーマットワイヤレス信号１５０２、１５０４を図示する図である。例示的なカスタム専用制御チャネルレポーティングフォーマットワイヤレス信号表現、例えば、１５０２または１５０４は、図１３のカスタムＤＣＣＨレポーティングフォーマット１情報信号１３１８、または、図１４の１４１８のうちの任意のものであってもよい。
【００７８】
例示的なＤＣＣＨカスタムレポーティングフォーマットワイヤレス信号１５０２は、複数のレポートタイプ定義情報（レポートタイプ１定義情報１５０４、・・・、レポートタイプＮ定義情報１５０６）と、レポーティングスケジュール情報１５０８と、コーディングおよび変調情報１５１０とを含む。各レポートタイプ定義情報（１５０４、１５０６）は、マッピング情報（１５１２、１５１４）をそれぞれ含み、これは、レポートによって使用される可能性ある情報パターンに対する、制御情報のマッピングを規定する。レポーティングスケジュール情報１５０８は、レポートシーケンシング情報１５１６と、繰り返しタイミング構造情報１５１８と、ＤＣＣＨセグメント定義情報１５２０とを含む。
【００７９】
例示的なＤＣＣＨカスタムレポーティングフォーマットワイヤレス信号１５０４は、既知のレポートタイプ、例えば、レポートＣ、レポートＡ、レポートＢ、レポートＪ、レポートＤ、・・・、レポートＡ、レポートＤを示すシーケンスに対応するシーケンス情報を含む。いくつかの実施形態では、繰り返しＤＣＣＨレポーティング構造、例えば、ビーコンスロット中の４０個のインデックス付けされたＤＣＣＨセグメントが知られており、信号１５０４中で伝達されるレポーティングシーケンスは、セグメントに対して使用されるレポートタイプを識別するものである。いくつかの実施形態では、信号１５０４中のレポーティングシーケンス中で伝達されるレポートの数および／またはタイプは、伝達されることになるレポートの数、および／または、繰り返しレポーティング構造のサイズを識別するのに使用される。
【００８０】
図１６は、例示的なワイヤレス端末と、使用されているレポーティングフォーマットに影響を及ぼす例示的な要因と、例示的な対応する専用制御チャネルレポーティングフォーマット特徴とを図示する表１６００の図である。第１の列１６０２は、１５個の例示的ワイヤレス端末（ＷＴ１、・・・、ＷＴ１５）を列挙している。第２の列１６０４は、対応するＷＴに対して使用されているレポーティングフォーマットに影響を及ぼす要因を列挙している。第３の列１６０６は、ＷＴに対応するＤＣＣＨレポーティングフォーマット特徴を列挙している。
【００８１】
第１の行１６０８は、例示的なＷＴ１が、音声トラフィックアプリケーションを使用していることを示し、使用されているＤＣＣＨレポーティングフォーマットが、遅延レポートと、頻繁な小さなビットサイズのトラフィック要求レポート、例えば、頻繁な単一ビットアップリンクトラフィックチャネル要求レポートとを含むことを示している。第２の行１６１０は、例示的なＷＴ２が、遅延の影響を受けないデータトラフィックアプリケーション、例えば、ファイル転送プロトコル（ＦＴＰ）アプリケーションを使用していることを示し、使用されているＤＣＣＨレポーティングフォーマットが、遅延レポートを含まないが、頻繁でない大きなビットサイズのトラフィック要求レポート、例えば、頻繁でない４ビットアップリンクトラフィックチャネル要求レポートを含むことを示している。第３の行１６１２は、例示的なＷＴ３が、音声およびデータトラフィックの混合を伝達する要望を持つこと、例えば、ＷＴ３はインターネットゲーミングアプリケーションの音声アプリケーションを実行していることを示し、使用されているＤＣＣＨレポーティングフォーマットが、異なるサイズのトラフィック要求レポートの混合、例えば、１ビットアップリンクトラフィックチャネル要求レポートと、３ビットトラフィックチャネル要求レポートと、４ビットトラフィックチャネル要求レポートとを含むことを示している。第４の行１６１４は、例示的なＷＴ４が、複数のアンテナデバイスであることを示し、使用されているＤＣＣＨレポーティングフォーマットが、さまざまな代替をレポートするための追加のＳＮＲレポートを含むことを示している。第５の行１６１６は、例示的なＷＴ５が、低バッテリ電力レベルを経験していることを示し、使用されているＤＣＣＨレポーティングフォーマットが、エネルギー節約のために、ユニット時間当たりより少ないセグメントを有することを示している。第６の行１６１８は、例示的なＷＴ６が、据え置き型デバイスであることを示し、使用されているＤＣＣＨレポーティングフォーマットが、より少ない頻度でＳＮＲおよび送信電力情報、例えば、送信電力バックオフ情報をレポートすることを示している。第７の行１６２０は、例示的なＷＴ７が、高速で移動するデバイスであることを示し、使用されているＤＣＣＨレポーティングフォーマットが、より頻繁にＳＮＲおよび送信電力情報、例えば、送信電力バックオフ情報をレポートすることを示している。第８の行１６２２は、例示的なＷＴ８が、高価な高品質受信機を含むことを示し、使用されているＤＣＣＨレポーティングフォーマットが、自己雑音レポートを省略することを示している。第９の行１６２４は、例示的なＷＴ９が、単離した基地局の使用を使用していることを示し、使用されているＤＣＣＨレポーティングフォーマットが、異なる基地局からの信号を比較する干渉レポートを省略し、例えば、ビーコン比レポートは含まれないことを示している。第１０の行１６２６は、例示的なＷＴ１０が、非常に良好で、安定したチャネル条件を経験していることを示し、使用されているＤＣＣＨレポーティングフォーマットが、比較的高い値付近の狭い範囲を有するＳＮＲレポートを含むことを示し、使用されているＤＣＣＨレポーティングフォーマットが、少なくともいくつかの差分レポート、例えば、従前に伝達されたＤＣＣＨレポートに関するデルタレポートを含むことを示している。第１１の行１６２８は、例示的なＷＴ１１が、劣悪だが、安定したチャネル条件を経験していることを示し、使用されているＤＣＣＨレポーティングフォーマットが、比較的低い値付近の狭い範囲を有するＳＮＲレポートを含むことを示している。第１２の行１６３０は、例示的なＷＴ１２が、幅広く変化するチャネル条件を経験していることを示し、使用されているＤＣＣＨレポーティングフォーマットが、幅広いレポーティング範囲を有するＳＮＲレポートを含むことを示している。第１３の行１６３２は、例示的なＷＴ１３が、高システム負荷を経験している基地局を使用していることを示し、使用されているＤＣＣＨレポーティングフォーマットが、他のワイヤレス端末に対してリソースを開放させるために、時間間隔当たりより少ないセグメントをＷＴに割り振ることを示している。第１４の行１６３４は、例示的なＷＴ１４が、高ＱｏＳ要求を持っていることを示し、使用されているＤＣＣＨレポーティングフォーマットが、トラフィック要求に対する追加の機会を提供することを示している。第１５の行１６３６は、例示的なＷＴ１５が、基地局に対してちょうど最近アクセスしたことを示し、使用されているＤＣＣＨレポーティングフォーマットが、デフォルトフォーマットであることを示している。
【００８２】
図１７は、例示的な直交周波数分割多重（ＯＦＤＭ）多元接続ワイヤレス通信システムにおける、例示的なアップリンクタイミングおよび周波数構造中の、例示的なアップリンク専用制御チャネル（ＤＣＣＨ）セグメントの図１７００である。アップリンク専用制御チャネルを使用して、ワイヤレス端末から基地局に対して、専用制御レポート（ＤＣＲ）を送る。垂直軸１７０２は、論理アップリンクトーンインデックスをプロットし、他方、水平軸１７０４は、ビーコンスロット内のハーフスロットのアップリンクインデックスをプロットする。この例において、アップリンクトーンブロックは、１１３個のインデックス付けされた論理アップリンクトーン（０、・・・、１１２）を含み；ハーフスロット内の７個の連続的ＯＦＤＭシンボル送信時間期間と、スーパースロット内の１６個の連続的ハーフスロットが続く２個の追加的ＯＦＤＭシンボル時間期間と、ビーコンスロット内の８個の連続的スーパースロットとがある。スーパースロット内の最初の９個のＯＦＤＭシンボル送信時間期間は、アクセス間隔であり、専用制御チャネルは、アクセス間隔の無線リンクリソースを使用しない。
【００８３】
例示的な専用制御チャネルは、３１個の論理トーン（アップリンクトーンインデックス８１  １７０６、アップリンクトーンインデックス８２  １７０８、・・・、アップリンクトーンインデックス１１１  １７１０）にサブ分割される。論理アップリンク周波数構造中の、各論理アップリンクトーン（８１、・・・、１１１）は、ＤＣＣＨチャネル（０、・・・、３０）に関してインデックス付けされた論理トーンに対応する。
【００８４】
専用制御チャネル中の各トーンに対して、４０個の列（１７１２、１７１４、１７１６、１７１８、１７２０、１７２２、・・・、１７２４）に対応するビーコンスロット中に４０個のセグメントがある。セグメント構造は、ビーコンスロットベースで繰り返す。専用制御チャネル中の所定のトーンに対して、ビーコンスロット１７２８に対応する４０個のセグメントがあり；ビーコンスロットの８個のスーパースロットのそれぞれは、所定のトーンに対する５個の連続的セグメントを含む。例えば、ＤＣＣＨのトーン０に対応する、ビーコンスロット１７２８の最初のスーパースロット１７２６に対して、５個のインデックス付けされたセグメント（セグメント［０］［０］、セグメント［０］［１］、セグメント［０］［２］、セグメント［０］［３］、セグメント［０］［４］）がある。同様に、ＤＣＣＨのトーン１に対応する、ビーコンスロット１７２８の最初のスーパースロット１７２６に対して、５個のインデックス付けセグメント（セグメント［１］［０］、セグメント［１］［１］、セグメント［１］［２］、セグメント［１］［３］、セグメント［１］［４］）がある。同様に、ＤＣＣＨのトーン３０に対応する、ビーコンスロット１７２８の最初のスーパースロット１７２６に対して、５個のインデックス付けセグメント（セグメント［３０］［０］、セグメント［３０］［１］、セグメント［３０］［２］、セグメント［３０］［３］、セグメント［３０］［４］）がある。
【００８５】
この例において、各セグメント、例えば、セグメント［０］［０］は、３個の連続的ハーフスロットに対する１つのトーンを含み、これは例えば、２１個のＯＦＤＭトーンシンボルの割り振られたアップリンク無線リンクリソースを表す。いくつかの例では、論理トーンに関係付けられた物理トーンが連続的ハーフスロットに対して異なっていてもよいが、所定のハーフスロットの間、一定のままであるように、アップリンクトーンホッピングシーケンスにしたがって、論理アップリンクトーンが、物理トーンに対してホッピングされる。
【００８６】
専用制御チャネルの論理トーンのそれぞれは、基地局をその現在のアタッチメントポイントとして使用する異なるワイヤレス端末に対して、基地局によって割り当てられてもよい。例えば、論理トーン（５０６、５０８、・・・、５１０）は、現在、それぞれ（ＷＴＡ １７３０、ＷＴＢ １７３２、・・・、ＷＴＮ’ １７３４）に対して割り当てられていてもよい。
【００８７】
各アップリンクＤＣＣＨセグメントを使用して、１組の専用制御チャネルレポート（ＤＣＲ）を送信する。例示的なＤＣＲのリストが図１８の表１８００中に与えられている。表１８００の第１の列１８０２は、各例示的なレポートに対する短縮名称を記述している。各レポートの名称は、ＤＣＲのビット数を指定する数で終了する。表１８００の第２の列１８０４は、それぞれの名称が付けられたレポートを簡単に説明している。
【００８８】
図１９は、例示的なダウンリンク信号対雑音比の５ビットの絶対レポート（ＤＬＳＮＲ５）の例示的なフォーマットを説明する表１９００である。列１９０２は、レポートに対する３２個の可能性ある情報ビットパターンを列挙し、列１９０４は、対応するレポートされるＷＴの測定されたダウンリンクパイロットチャネルＳＮＲを列挙し、これはレポートによって伝えられる。ワイヤレス端末は、ダウンリンクパイロットチャネルＳＮＲを測定し、測定値に最も近い可能性があるＳＮＲレポートされる値を決定し、次に、レポート中でレポートされることになる、対応する５ビットパターンを決定する。表１８００中の各レポートは、それ自身の対応するマッピング情報を有する。
【００８９】
図２０は、例えばワイヤレス端末に対応する、所定のＤＣＣＨトーンに対する例示的なビーコンスロット中の例示的なレポーティングフォーマット情報を図示する図面２０９９である。図２０において、各ブロック（２０００、２００１、２００２、２００３、２００４、２００５、２００６、２００７、２００８、２００９、２０１０、２０１１、２０１２、２０１３、２０１４、２０１５、２０１６、２０１７、２０１８、２０１９、２０２０、２０２１、２０２２、２０２３、２０２４、２０２５、２０２６、２０２７、２０２８、２０２９、２０３０、２０３１、２０３２、２０３３、２０３４、２０３５、２０３６、２０３７、２０３８、２０３９）は、１つのセグメントを表し、そのインデックスｓ２（０、・・・、３９）が、四角形の領域２０４０において、ブロックの上に示されている。各ブロック、例えば、セグメント０を表現するブロック２０００は、６個の情報ビットを伝え；各ブロックは、セグメント中の６ビットに対応する６行を含み、ここで、四角形の領域２０４３において示したように、ビットは、最上行から最下行に下方向に向けて、最上位ビットから最下位ビットに列挙されている。
【００９０】
図２０は、１つの例示的なレポーティングフォーマット、例えば、デフォルトレポーティングフォーマットを図示する。数々の変形が可能である。レポーティングフォーマットの中には、追加的な、予め記憶されたレポーティングフォーマットもある。レポーティングフォーマットの中には、例えば、特定のワイヤレス端末や、１組のワイヤレス端末や、ワイヤレス端末のタイプや、および／または、１組の条件に対して調整された、カスタムレポーティングフォーマットもある。いくつかの実施形態では、異なるレポーティングフォーマットの中には、異なる数の情報ビット／セグメント、例えば、セグメント当たり６情報ビットの代わりに、セグメント当たり８情報ビットを使用するものもある。いくつかの実施形態では、異なるレポーティングフォーマットが、異なる変調スキームを使用するものもある。いくつかの実施形態では、異なるレポーティングフォーマットの中には、異なる１組の使用レポートを有するものもある。いくつかの実施形態では、異なるレポーティングフォーマットの中には、レポートの順序付けおよび／または頻度が異なるものもある。いくつかの実施形態では、異なるレポーティングフォーマットの中には、あるタイプのレポートを意図的に省略するものもある。いくつかの実施形態では、異なるレポーティングフォーマットの中には、あるタイプのレポートの集結を持つものもある。いくつかの実施形態では、異なるレポーティングフォーマットの中には、異なる組のセグメントを使用するものもある。いくつかの実施形態では、異なるレポーティングフォーマットの中には、セグメントのサブセットを送信することを差し控えるものもある。いくつかの実施形態では、異なるレポーティングフォーマットの中には、異なる継続期間、例えば繰り返しパターンの異なる継続期間を有するものもある。
【００９１】
異なるワイヤレス端末が、同時に、異なる制御情報レポーティングフォーマットを使用してもよい。加えて、同一のワイヤレス端末が、異なる時に、異なる制御情報レポーティングフォーマットを使用してもよい。
【００９２】
図２１は、基地局を動作させて、１つ以上のワイヤレス端末と対話させる例示的な方法のフローチャート２１００の図である。基地局によって専用制御チャネルが割り振られたいくつかのワイヤレス端末のそれぞれのワイヤレス端末に対して、動作が、ステップ２１０２において開始し、ここで、基地局が、電源投入され、初期化され、ステップ２１０４に進む。異なるときに、基地局によって、異なるワイヤレス端末に専用制御チャネルが割り振られる。加えて、通信システムにおいて、ワイヤレス端末の中には、複数の制御情報レポーティングフォーマットをサポートしてもよいものもあり、他方、より少ない能力のワイヤレス端末の中には、単一の制御情報レポーティングフォーマットしかサポートしないものもある。
【００９３】
ステップ２１０４において、基地局は、受信されることになる１組の制御情報レポートを決定し、前記１組の制御情報レポートは、レポーティングフォーマットに対応する。ステップ２１０４は、サブステップ２１０６を含む。サブステップ２１０６において、基地局は、複数の予め定められたレポーティングフォーマットの間から選択する。サブステップ２１０６は、サブステップ２１０８と、サブステップ２１１０と、サブステップ２１１２とのうちの１つ以上を含む。サブステップ２１０８において、例えば、前記ワイヤレス端末と通信セッション中に、前記基地局または前記ワイヤレス端末またはピアノードによって実行されているアプリケーションの関数として、基地局は、制御情報レポーティングフォーマットを選択する。いくつかの実施形態では、アプリケーションは、音声およびデータのアプリケーションの１つである。いくつかのこのような実施形態では、音声アプリケーションに応答して選択されたレポーティングフォーマットは、待ち時間レポートを含み、または、トラフィックチャネル要求レポート中に埋め込まれた待ち時間情報を含み、そして、データアプリケーションに応答して選択されたレポーティングフォーマットは、音声に対して使用されるレポーティングフォーマットよりも、より少ない頻度であるが、音声に対して使用されるよりも、平均でアップリンク要求当たりより多くのビットを有するアップリンク要求レポートを含む。例えば、音声アプリケーションに対して調整された例示的なレポーティングフォーマットにおいて、頻繁にスケジュールされた、１ビットアップリンク要求レポートを使用してもよく、他方、データアプリケーションに対して調整された例示的なレポーティングフォーマットにおいて、より少ない頻度でスケジュールされた、３および／または４ビットアップリンクトラフィックチャネル要求レポートを使用してもよい。サブステップ２１１０において、基地局は、デバイス能力情報と、チャネル条件情報と、システム負荷情報と、ユーザサービス品質（ＱｏＳ）情報とのうちの少なくとも１つの関数として、制御情報レポーティングフォーマットを選択する。サブステップ２１１２において、基地局は、前記ワイヤレス端末から受信された、コマンド信号または要求信号のうちの少なくとも１つの関数として、制御情報レポーティングフォーマットを選択する。
【００９４】
いくつかの実施形態では、前記複数の予め定められたレポーティングフォーマットのそれぞれは、複数の異なるタイプのレポートと、前記異なるタイプのレポートの順序とを指定する。いくつかの実施形態では、異なるレポーティングタイプは、ＳＮＲレポートと、トラフィック要求レポートと、電力情報レポートと、干渉レポートと、遅延レポート、例えば待ち時間レポートとのうちの少なくとも２つを含む。いくつかの実施形態では、レポーティングフォーマットは、異なるタイプのレポート中で伝達されることになる制御情報、例えば、規定された量子化を有するトラフィックバックログのフレームカウントや、規定された量子化を有するｄＢでのＳＮＲレベルや、規定された量子化を有するｄＢでの電力利得レベル等をさらに指定する。
【００９５】
動作は、ステップ２１０４からステップ２１１４に進む。ステップ２１１４において、基地局は、信号、例えば前記決定された組のレポートを伝送する、専用制御チャネルセグメントＯＦＤＭ信号を受信する。次に、ステップ２１１６において、基地局は、複数の組の順序付けられた情報ビットを発生させるために前記受信信号上で復調およびデコーディング動作を実行し、１組の順序付けられた情報ビットの組のそれぞれは、通信セグメントに対応する。ステップ２１１６は、サブステップ２１１８を含む。サブステップ２１１８において、基地局は、前記レポーティングフォーマットに対応する、予め定められたデコーディングおよび復調スキームを使用し、前記複数のレポーティングフォーマットのうちの少なくともいくつかに対して、異なるデコーディングおよび復調スキームが使用される。例えば、１つの例示的な実施形態では、１つの例示的な制御情報レポーティングフォーマットが、専用制御チャネル通信セグメントに対応する２１ＱＰＳＫ変調シンボルから６情報ビットを取得する、復調およびデコーディングスキームを使用し；他方、異なる例示的な制御情報フォーマットは、専用制御チャネル通信セグメントに対応する２１ＱＰＳＫ変調シンボルから８情報ビットを取得する、復調およびデコーディングスキームを使用する。動作は、ステップ２１１６から、ステップ２１２０に進む。
【００９６】
ステップ２１２０において、基地局は、前記レポーティングフォーマットにしたがって、順序付けられたビットのセグメントを、１つ以上の制御情報レポートにマッピングする。例えば、１つの例示的な制御情報レポーティングフォーマットに対応して、繰り返し構造中の最初のセグメントは、６個の順序付けられた情報ビットを伝送してもよく、ビット１−５は、５ビットのダウンリンクＳＮＲレポートを伝送し、他方、ビット０（ＬＳｂ）は、１ビットのアップリンクトラフィックチャネル要求レポートを伝送する。動作は、ステップ２１２０からステップ２１２２に進む。
【００９７】
ステップ２１２２において、基地局は、前記レポーティングフォーマットにしたがって、前記１組の決定された制御情報レポートから情報を回復する。例えば、受信されたＳＮＲレポートのビットパターン、例えば０１１１０は、パイロットチャネルＳＮＲ測定値、例えば２ｄＢをレポートしてもよい。
【００９８】
動作は、ステップ２１２２からステップ２１０４に進み、ここで、ワイヤレス端末に依然として、基地局によって専用制御チャネルが割り振られていると仮定して、基地局は、ワイヤレス端末によって受信されることになる別の１組の制御情報レポートを決定する。
【００９９】
いくつかの実施形態では、基地局を使用している複数のワイヤレス端末からの受信信号、例えば専用制御チャネルセグメント信号は同時に受信され、そして、少なくともいくつかの時間における、異なるワイヤレス端末のうちの少なくともいくつかに対する制御情報レポーティングフォーマットは、異なっている。例えば、基地局と通信する第１のワイヤレス端末は、音声アプリケーションに対して調整された制御情報レポーティングフォーマットを使用していてもよく、基地局と通信する第２のワイヤレス端末は、遅延の影響を受けないデータ通信、例えば、ファイル転送に対して調整された制御情報レポーティングフォーマットを使用していてもよい。
【０１００】
図２２は、基地局を動作させて、１つ以上のワイヤレス端末と対話させる例示的な方法のフローチャート２２００の図である。例えば、基地局とワイヤレス端末は、アップリンク制御情報レポートに対する専用制御チャネルを含んでいる多元接続ＯＦＤＭワイヤレス通信システムであって、専用制御チャネルセグメントを使用する多元接続ＯＦＤＭワイヤレス通信システムの一部であってもよい。動作は、ステップ２２０２で開始し、ここで、基地局が、電源投入され、初期化される。基地局によって専用制御チャネルが割り振られたいくつかのワイヤレス端末のそれぞれのワイヤレス端末に対して、動作は開始ステップ２２０２からステップ２２０４に進む。ステップ２２０４において、基地局は、例えば、ワイヤレス端末との最初の通信の一部として、前記ワイヤレス端末と通信するとき、現在のレポーティングフォーマットとして、デフォルトレポートフォーマットを使用する。
【０１０１】
動作は、ステップ２２０４からステップ２２０６に進み、ここで、基地局は、ワイヤレス通信リンクからの制御情報レポーティングフォーマット定義情報の受信および送信のうちの少なくとも１つを実行する。いくつかの実施形態では、制御情報レポーティングフォーマットは、前記レポート中に含まれることになる情報を、可能性あるレポート値にマッピングする定義を提供するレポーティングフォーマット定義情報を含む。いくつかの実施形態では、制御情報レポーティングフォーマットは、レポーティングスケジュールを規定するレポーティングフォーマット定義情報を含み、このレポーティングスケジュールにしたがって、レポートが送信されることになる。いくつかの実施形態では、制御情報レポーティングフォーマットは、規定されたレポーティングスケジュールにしたがって、例えば、ワイヤレス端末によって基地局に対して送信されることになる１組のレポートを規定する、レポーティングフォーマット定義情報を含む。いくつかの実施形態では、制御情報レポーティングフォーマットは、１組のレポートに適用されることになるコーディングおよび変調スキームを指定する、レポーティングフォーマット定義情報を含む。
【０１０２】
次に、ステップ２２０８において、基地局は、少なくとも１つのデバイス能力情報と、チャネル条件情報と、アプリケーション情報と、サービス品質情報と、システム負荷情報と、前記ワイヤレス端末からの制御情報フォーマット切替コマンドまたは要求の受け取りとのうちの少なくとも１つをチェックする。
【０１０３】
ステップ２２１０において、基地局は、ステップ２２０８のチェックの結果に基づいて、どのように進むかを決める。チェックの結果が、レポーティングフォーマットを変更すべきことを示している場合、動作はステップ２２１２に進み；そうでなければ、動作はステップ２２１４に進む。
【０１０４】
ステップ２２１２において、基地局は、現在のレポーティングフォーマットを、新しいレポーティングフォーマット、例えば、ステップ２２０６のワイヤレス通信リンクからの前記制御情報レポーティングフォーマット定義情報にしたがった前記新しいレポーティングフォーマットに切り替える。動作はステップ２２１２からステップ２２１４に進む。
【０１０５】
ステップ２２１４において、基地局は、現在のレポーティングフォーマットにしたがって、受信された制御情報レポートに対応する制御情報を回復する。動作はステップ２２１４からステップ２２０８に進み、ここで、基地局は別のチェックを実行する。
【０１０６】
いくつかの実施形態では、例えば、カスタマイズされた制御情報レポートに対応するレポーティングフォーマット情報が、基地局と、基地局をそのアタッチメントポイントとして使用するワイヤレス端末との間で伝達される。いくつかの実施形態では、ワイヤレス端末に対応するレポーティングフォーマット情報が、集中型サーバおよび／またはホームエージェントノードに伝達され、ならびに／あるいは、集中型サーバおよび／またはホームエージェントノードにおいて記憶される。いくつかのこのような実施形態では、ワイヤレス端末に対する、制御情報レポーティングフォーマットに対応する状態情報は、例えば、集中型サーバ、ホームエージェントノード、および／または、基地局中に記憶される。いくつかの実施形態では、例えば、新しい基地局に接続するときに、ハンドオフプロセスおよび／または初期化プロセスの一部として、このような記憶された情報を検索して、新しい基地局に転送することができ、実際に検索され転送されることもある。
【０１０７】
ＯＦＤＭシステムの文脈で説明したが、多くの非ＯＦＤＭおよび／または非セルラシステムを含む、幅広い範囲の通信システムに対して、さまざまな実施形態の方法および装置が適用可能である。
【０１０８】
さまざまな実施形態では、１つ以上の方法に対応するステップ、例えば、信号処理、ビーコン発生、ビーコン検出、ビーコン測定、接続比較、接続実現、を実行するための１つ以上のモジュールを使用してここで説明したノードが実現される。いくつかの実施形態では、モジュールを使用して、さまざまな特徴を実現する。ソフトウェア、ハードウェア、または、ソフトウェアおよびハードウェアの組み合わせを使用して、このようなモジュールを実現してもよい。ソフトウェアのような、機械実行可能命令を使用して、上記の方法または方法ステップの多くを実現でき、機械実行可能命令は、メモリデバイス、例えば、ＲＡＭ、フロッピー（登録商標）ディスク等のような、機械読取可能媒体中に含まれ、機械、例えば、追加的ハードウェアを有するまたは有さない汎用コンピュータを制御して、例えば、１つ以上のノード中で上記で説明した方法の全部または一部を実現する。したがって、とりわけ、さまざまな実施形態は、機械実行可能命令を含む機械読取可能媒体に向けられており、機械実行可能命令は、機械、例えば、プロセッサと、関係付けられたハードウェアとに、上記の方法の１つ以上のステップを実行させる。
【０１０９】
上で説明した方法および装置の数々の追加的変形は、上記の説明の観点から、当業者に明らかになるだろう。このような変形は、範囲内であるとして考えるべきである。さまざまな実施形態の方法および装置は、そして、さまざまな実施形態における方法および装置は、ＣＤＭＡ、直交周波数分割多重（ＯＦＤＭ）、および／または、アクセスノードと移動体ノードとの間にワイヤレス通信リンクを提供するのに使用されてもよいさまざまな他のタイプの通信技術とともに使用されてもよい。いくつかの実施形態では、アクセスノードは基地局として実現され、基地局は、ＯＦＤＭおよび／またはＣＤＭＡを使用して、移動体ノードとの通信リンクを確立する。さまざまな実施形態では、さまざまな実施形態の方法を実現するために、移動体ノードは、ノートブックコンピュータ、パーソナルデータアシスタント（ＰＤＡ）、あるいは、受信機／送信機回路と、論理および／またはルーチンとを含む他のポータブルデバイスとして実現される。
【図面の簡単な説明】
【０１１０】
【図１】図１は、さまざまな実施形態にしたがって実現された、例示的なワイヤレス通信システムの図である。
【図２】図２は、さまざまな実施形態にしたがって実現された、例示的な通信デバイス、例えば、基地局の図である。
【図３】図３は、さまざまな実施形態にしたがって実現された、例示的な通信デバイス、例えば、移動体ノードのようなワイヤレス端末の図である。
【図４】図４は、さまざまな実施形態にしたがって実現された、例示的な通信デバイス、例えば、基地局の図である。
【図５】図５は、さまざまな実施形態にしたがった、例示的な通信デバイス、例えば、移動体ノードのようなワイヤレス端末の図である。
【図６】図６は、第１の通信デバイス、例えば、ワイヤレス端末を動作させて、第２の通信デバイス、例えば、基地局と対話させる例示的な方法のフローチャートである。
【図７】図７は、第１の通信デバイス、例えば、ワイヤレス端末を動作させて、第２の通信デバイス、例えば、基地局と対話させる例示的な方法のフローチャートである。
【図８】図８は、第１の通信デバイス、例えば、ワイヤレス端末を動作させて、第２の通信デバイス、例えば、基地局と対話させる例示的な方法のフローチャートである。
【図９】図９は、第２の通信デバイス、例えば、基地局と対話する、第１の通信デバイス、例えば、ワイヤレス端末を動作させる例示的な方法のフローチャートである。
【図１０】図１０は、第２の通信デバイス、例えば、基地局と対話する、第１の通信デバイス、例えば、ワイヤレス端末を動作させる例示的な方法のフローチャートである。
【図１１】図１１は、基地局がワイヤレス端末に対して、制御情報レポーティングフォーマットを選択するいくつかの実施形態にしたがった機能を図示する図である。
【図１２】図１２は、ワイヤレス端末が制御情報レポーティングフォーマットを選択するいくつかの実施形態にしたがった、機能を図示する図である。
【図１３】図１３は、基地局がワイヤレス端末にカスタム制御情報レポーティングフォーマットを伝達するいくつかの実施形態にしたがった、機能を図示する図である。
【図１４】図１４は、ワイヤレス端末が基地局にカスタム制御情報レポーティングフォーマットを伝達するいくつかの実施形態にしたがった、機能を図示する図である。
【図１５】図１５は、例示的なカスタム専用制御チャネルレポーティングフォーマットワイヤレス信号を図示する図である。
【図１６】図１６は、例示的なワイヤレス端末、使用されるレポーティングフォーマットに影響を及ぼす例示的な要因と、例示的な対応する専用制御チャネルレポーティングフォーマット特徴とを図示する表の図である。
【図１７】図１７は、例示的な直交周波数分割多重（ＯＦＤＭ）多元接続ワイヤレス通信システムにおける、例示的なアップリンクタイミングおよび周波数構造中の、例示的なアップリンク専用制御チャネル（ＤＣＣＨ）セグメントの図である。
【図１８】図１８は、例示的な専用制御チャネルレポートの表である。
【図１９】図１９は、ダウンリンク信号対雑音比の５ビットの絶対レポート（ＤＬＳＮＲ５）の例示的なフォーマットを説明する表である。
【図２０】図２０は、例えば、そのＤＣＣＨトーンを使用するように割り振られたワイヤレス端末に対応する、所定の専用制御チャネルトーンに対する、例示的な繰り返し時間間隔のための、例示的な制御情報レポーティングフォーマット情報を図示する図である。
【図２１】図２１は、基地局を動作させて、１つ以上のワイヤレス端末と対話させる例示的な方法のフローチャートの図である。
【図２２】図２２は、基地局を動作させて、１つ以上のワイヤレス端末と対話させる例示的な方法のフローチャートの図である。
【図１】
2009521859.tif 000003
【図２】
2009521859.tif 000004
【図３】
2009521859.tif 000005
【図４】
2009521859.tif 000006
【図５】
2009521859.tif 000007
【図６】
2009521859.tif 000008
【図７】
2009521859.tif 000009
【図８】
2009521859.tif 000010
【図９】
2009521859.tif 000011
【図１０】
2009521859.tif 000012
【図１１】
2009521859.tif 000013
【図１２】
2009521859.tif 000014
【図１３】
2009521859.tif 000015
【図１４】
2009521859.tif 000016
【図１５】
2009521859.tif 000017
【図１６】
2009521859.tif 000018
【図１７】
2009521859.tif 000019
【図１８】
2009521859.tif 000020
【図１９】
2009521859.tif 000021
【図２０】
2009521859.tif 000022
【図２１】
2009521859.tif 000023
【図２２】
2009521859.tif 000024
【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
第２の通信デバイスと対話する第１の通信デバイスを動作させる方法において、
ワイヤレス通信リンクからの制御情報レポーティングフォーマット定義情報の受信および送信のうちの少なくとも１つを実行することと、
前記受信および送信されたレポーティングフォーマット定義情報のうちの１つにしたがって、制御情報レポートを発生させることと
を含む方法。
【請求項２】
前記レポーティングフォーマットは、前記レポート中に含まれることになる情報を、可能性あるレポート値にマッピングする定義を提供する、請求項１記載の方法。
【請求項３】
前記レポーティングフォーマットは、レポーティングスケジュールをさらに規定し、このレポーティングスケジュールにしたがって、レポートが送信されることになる、請求項２記載の方法。
【請求項４】
前記レポーティングフォーマットは、前記規定されたレポーティングスケジュールにしたがって送信されることになる１組のレポートをさらに規定する、請求項３記載の方法。
【請求項５】
前記レポーティングフォーマットは、前記１組のレポートに適用されることになるコーディングおよび変調スキームをさらに指定する、請求項４記載の方法。
【請求項６】
前記受信および送信を実行する前に、前記第２の通信デバイスと通信するときに、デフォルトレポーティングフォーマットを使用すること
をさらに含む、請求項１記載の方法。
【請求項７】
前記デフォルトフォーマットは、前記第２の通信デバイスとの最初の通信のために使用される、請求項６記載の方法。
【請求項８】
デバイス能力情報、チャネル条件、アプリケーション情報、サービス品質情報、および、システム負荷のうちの少なくとも１つをチェックすることと、
前記チェックの結果に依拠して、前記受信および送信されたレポーティングフォーマットのうちの１つに切り替えることと
をさらに含む、請求項７記載の方法。
【請求項９】
前記第２の通信デバイスからの、制御情報フォーマット切替コマンド信号の受け取りをチェックすることと、
前記チェックの結果に依拠して、前記受信および送信されたレポーティングフォーマットのうちの１つに切り替えることと
をさらに含む、請求項７記載の方法。
【請求項１０】
前記レポーティングフォーマット定義情報は、集中型サーバから受信され、または、集中型サーバに送信される、請求項１記載の方法。
【請求項１１】
前記第１の通信デバイスはワイヤレス端末であり、レポートのグループが、直交周波数分割多重チャネル構造における専用制御チャネルセグメントにマッピングされる、請求項５記載の方法。
【請求項１２】
通信デバイスにおいて、
ｉ）ワイヤレス通信リンクから制御情報レポーティングフォーマット定義情報を受信する受信機モジュールと、
ｉｉ）ワイヤレス通信リンクを通して、制御情報レポーティングフォーマット定義情報を送信する送信機モジュールと
のうちの少なくとも１つと、
ｉ）受信されたレポーティングフォーマット定義情報と、
ｉｉ）送信されたレポーティングフォーマット定義情報と
のうちの少なくとも１つにしたがって、制御情報レポートを発生させる制御情報レポート発生モジュールと
を具備する通信デバイス。
【請求項１３】
記憶されたレポーティングフォーマット定義情報を含むメモリをさらに具備し、
前記記憶されたレポーティングフォーマット定義情報は、レポート定義情報を含み、
前記レポート定義情報は、レポート中に含まれることになる情報と、可能性あるレポート値との間のマッピングを規定するマッピング情報を含む、請求項１２記載の通信デバイス。
【請求項１４】
前記記憶されたレポーティングフォーマット定義情報は、レポートが送信されることになるシーケンスを示すスケジュールを示すレポーティングスケジュールを規定する情報をさらに含む、請求項１３記載の通信デバイス。
【請求項１５】
前記記憶されたレポーティングフォーマット定義情報は、前記規定されたレポーティングスケジュールにしたがって送信されることになる１組のレポートをさらに規定する、請求項１４記載の通信デバイス。
【請求項１６】
前記記憶されたレポーティングフォーマット定義情報は、前記規定された１組のレポートに適用されることになるコーディングおよび変調スキームを指定する情報をさらに含む、請求項１５記載の通信デバイス。
【請求項１７】
別の通信デバイスから制御情報レポーティングフォーマット定義情報を受信する前に、または、前記別の通信デバイスに対して制御情報レポーティングフォーマット定義情報を送信する前に、前記別の通信デバイスと通信するときに使用することになるデフォルトレポーティングフォーマットを記憶するメモリ
をさらに具備する、請求項１２記載の通信デバイス。
【請求項１８】
前記記憶されたデフォルトレポーティングフォーマットは、前記別の通信デバイスとの最初の通信のために使用される、請求項１７記載の通信デバイス。
【請求項１９】
デバイス能力情報、チャネル条件情報、アプリケーション情報、サービス品質情報、および、システム負荷情報のうちの少なくとも１つをチェックし、
前記チェックの結果の関数として、
ｉ）前記受信されたレポーティングフォーマット定義情報と、
ｉｉ）前記送信されたレポーティングフォーマット定義情報と
のうちの前記少なくとも１つによって規定されたレポーティングフォーマットに切り替えることを制御する
制御モジュール
をさらに具備する、請求項１８記載の通信デバイス。
【請求項２０】
前記通信デバイスはワイヤレス端末である、請求項１２記載の通信デバイス。
【請求項２１】
通信デバイスにおいて、
ｉ）ワイヤレス通信リンクから制御情報レポーティングフォーマット定義情報を受信する手段と、
ｉｉ）ワイヤレス通信リンクを通して、制御情報レポーティングフォーマット定義情報を送信する手段と
のうちの少なくとも１つと、
ｉ）受信されたレポーティングフォーマット定義情報と、
ｉｉ）送信されたレポーティングフォーマット定義情報と
のうちの少なくとも１つにしたがって、制御情報レポートを発生させる手段と
を具備する通信デバイス。
【請求項２２】
記憶されたレポーティングフォーマット定義情報を含む記憶手段をさらに具備し、
前記記憶されたレポーティングフォーマット定義情報は、レポート定義情報を含み、
前記レポート定義情報は、レポート中に含まれることになる情報と、可能性あるレポート値との間のマッピングを規定するマッピング情報を含む、請求項２１記載の通信デバイス。
【請求項２３】
前記記憶されたレポーティングフォーマット定義情報は、レポートが送信されることになるシーケンスを示すスケジュールを示すレポーティングスケジュールを規定する情報をさらに含む、請求項２２記載の通信デバイス。
【請求項２４】
前記記憶されたレポーティングフォーマット定義情報は、前記規定されたレポーティングスケジュールにしたがって送信されることになる１組のレポートをさらに規定する、請求項２３記載の通信デバイス。
【請求項２５】
前記記憶されたレポーティングフォーマット定義情報は、前記規定された１組のレポートに適用されることになるコーディングおよび変調スキームを指定する情報をさらに含む、請求項２４記載の通信デバイス。
【請求項２６】
第１の通信デバイスを制御して、方法を実現させる機械実行可能命令が組み入れられたコンピュータ読取可能媒体において、
前記方法は、
ワイヤレス通信リンクからの制御情報レポーティングフォーマット定義情報の受信およびワイヤレス通信リンクによる制御情報レポーティングフォーマット定義情報の送信のうちの少なくとも１つを実行することと、
前記受信および送信されたレポーティングフォーマット定義情報のうちの１つにしたがって、制御情報レポートを発生させることと
を含むコンピュータ読取可能媒体。
【請求項２７】
前記レポーティングフォーマットは、前記レポート中に含まれることになる情報を、可能性あるレポート値にマッピングする定義を提供する、請求項２６記載のコンピュータ読取可能媒体。
【請求項２８】
前記レポーティングフォーマットは、レポーティングスケジュールをさらに規定し、このレポーティングスケジュールにしたがって、レポートが送信されることになる、請求項２７記載のコンピュータ読取可能媒体。
【請求項２９】
前記レポーティングフォーマットは、前記規定されたレポーティングスケジュールにしたがって送信されることになる１組のレポートをさらに規定する、請求項２８記載のコンピュータ読取可能媒体。
【請求項３０】
前記レポーティングフォーマットは、前記１組のレポートに適用されることになるコーディングおよび変調スキームをさらに指定する、請求項２９記載のコンピュータ読取可能媒体。
【請求項３１】
ワイヤレス通信システムにおいて動作可能な第１の通信デバイスにおいて、
ワイヤレス通信リンクからの制御情報レポーティングフォーマット定義情報の受信およびワイヤレス通信リンクによる制御情報レポーティングフォーマット定義情報の送信のうちの少なくとも１つを制御し、
前記受信および送信されたレポーティングフォーマット定義情報のうちの１つにしたがって、制御情報レポートを発生させる
ように構成されたプロセッサを具備する第１の通信デバイス。
【請求項３２】
前記レポーティングフォーマットは、前記レポート中に含まれることになる情報を、可能性あるレポート値にマッピングする定義を提供する、請求項３１記載の第１の通信デバイス。
【請求項３３】
前記レポーティングフォーマットは、レポーティングスケジュールをさらに規定し、このレポーティングスケジュールにしたがって、レポートが送信されることになる、請求項３２記載の第１の通信デバイス。
【請求項３４】
前記レポーティングフォーマットは、前記規定されたレポーティングスケジュールにしたがって送信されることになる１組のレポートをさらに規定する、請求項３３記載の第１の通信デバイス。
【請求項３５】
前記レポーティングフォーマットは、前記１組のレポートに適用されることになるコーディングおよび変調スキームをさらに指定する、請求項３４記載の第１の通信デバイス。
【請求項３６】
第２の通信デバイスと対話する第１の通信デバイスを動作させる方法において、
ワイヤレス通信リンクからの制御情報レポーティングフォーマット定義情報の受信およびワイヤレス通信リンクによる制御情報レポーティングフォーマット定義情報の送信のうちの少なくとも１つを実行することと、
前記受信および送信されたレポーティングフォーマット定義情報のうちの１つにしたがって、受信された制御情報レポートに対応する制御情報を回復させることと
を含む方法。
【請求項３７】
前記レポーティングフォーマットは、前記レポート中に含まれることになる情報を、可能性あるレポート値にマッピングする定義を提供する、請求項３６記載の方法。
【請求項３８】
前記レポーティングフォーマットは、レポーティングスケジュールをさらに規定し、このレポーティングスケジュールにしたがって、レポートが送信されることになる、請求項３７記載の方法。
【請求項３９】
前記レポーティングフォーマットは、前記規定されたレポーティングスケジュールにしたがって送信されることになる１組のレポートをさらに規定する、請求項３８記載の方法。
【請求項４０】
前記レポーティングフォーマットは、前記１組のレポートに適用されることになるコーディングおよび変調スキームをさらに指定する、請求項３９記載の方法。
【請求項４１】
前記受信および送信を実行する前に、前記第２の通信デバイスと通信するときに、デフォルトレポーティングフォーマットを使用することをさらに含む、請求項３６記載の方法。
【請求項４２】
前記デフォルトフォーマットは、前記第２の通信デバイスとの最初の通信のために使用される、請求項４１記載の方法。
【請求項４３】
デバイス能力情報、チャネル条件、アプリケーション情報、サービス品質情報、および、システム負荷のうちの少なくとも１つをチェックすることと、
前記チェックの結果に依拠して、前記受信および送信されたレポーティングフォーマットのうちの１つに切り替えることと
をさらに含む、請求項４２記載の方法。
【請求項４４】
前記第２の通信デバイスからの、制御情報フォーマット切替コマンド信号の受け取りをチェックすることと、
前記チェックの結果に依拠して、前記受信および送信されたレポーティングフォーマットのうちの１つに切り替えることと
をさらに含む、請求項４２記載の方法。
【請求項４５】
前記レポーティングフォーマット定義情報は、集中型サーバから受信され、または、集中型サーバに送信される、請求項３６記載の方法。
【請求項４６】
前記第１の通信デバイスは基地局であり、レポートのグループが、直交周波数分割多重チャネル構造における専用制御チャネルセグメントにマッピングされる、請求項４０記載の方法。
【請求項４７】
前記第１の通信デバイスは基地局であり、前記第２の通信デバイスは第１のワイヤレス端末であり、
前記方法は、
第２のワイヤレス端末に対応する、第２のワイヤレス通信リンクからの制御情報レポーティングフォーマット定義情報の受信およびワイヤレス通信リンクによる制御情報レポーティングフォーマット定義情報の送信のうちの少なくとも１つを実行することと、
前記第２のワイヤレス通信リンクから受信および送信されたレポーティングフォーマット定義情報のうちの１つにしたがって、受信された制御情報レポートに対応する通信された制御情報を回復させることと
をさらに含み、
前記第１のワイヤレス端末に対応する前記レポーティングフォーマット定義情報は、前記第２のワイヤレス端末に対応する前記レポーティングフォーマット定義情報とは異なる、請求項３６記載の方法。
【請求項４８】
通信デバイスにおいて、
ｉ）ワイヤレス通信リンクから制御情報レポーティングフォーマット定義情報を受信する受信機モジュールと、
ｉｉ）ワイヤレス通信リンクを通して、制御情報レポーティングフォーマット定義情報を送信する送信機モジュールと
のうちの少なくとも１つと、
ｉ）受信されたレポーティングフォーマット定義情報と、
ｉｉ）送信されたレポーティングフォーマット定義情報と
のうちの少なくとも１つにしたがって、制御情報レポートの情報を回復させる制御情報レポート回復モジュールと
を具備する通信デバイス。
【請求項４９】
記憶されたレポーティングフォーマット定義情報を含むメモリをさらに具備し、
前記記憶されたレポーティングフォーマット定義情報は、レポート定義情報を含み、
前記レポート定義情報は、制御情報レポート中に含まれることになる情報と、可能性あるレポート値との間のマッピングを規定するマッピング情報を含む、請求項４８記載の通信デバイス。
【請求項５０】
前記記憶されたレポーティングフォーマット定義情報は、レポートが送信されることになるシーケンスを示すスケジュールを示すレポーティングスケジュールを規定する情報をさらに含む、請求項４９記載の通信デバイス。
【請求項５１】
前記記憶されたレポーティングフォーマット定義情報は、前記規定されたレポーティングスケジュールにしたがって受信されることになる１組のレポートをさらに規定する、請求項５０記載の通信デバイス。
【請求項５２】
前記記憶されたレポーティングフォーマット定義情報は、前記規定された１組のレポートに適用されることになるコーディングおよび変調スキームを指定する情報をさらに含む、請求項５１記載の通信デバイス。
【請求項５３】
別の通信デバイスから制御情報レポーティングフォーマット定義情報を受信する前に、または、前記別の通信デバイスに対して制御情報レポーティングフォーマット定義情報を送信する前に、前記別の通信デバイスと通信するときに使用することになるデフォルトレポーティングフォーマットを記憶するメモリをさらに具備する、請求項４８記載の通信デバイス。
【請求項５４】
前記記憶されたデフォルトレポーティングフォーマットは、前記別の通信デバイスとの最初の通信のために使用される、請求項５３記載の通信デバイス。
【請求項５５】
デバイス能力情報、チャネル条件情報、アプリケーション情報、サービス品質情報、および、システム負荷情報のうちの少なくとも１つをチェックし、
前記チェックの結果の関数として、
ｉ）前記受信されたレポーティングフォーマット定義情報と、
ｉｉ）前記送信されたレポーティングフォーマット定義情報と
のうちの前記少なくとも１つによって規定されたレポーティングフォーマットに切り替えることを制御する
制御モジュールをさらに具備する、請求項５４記載の通信デバイス。
【請求項５６】
前記通信デバイスは基地局である、請求項４８記載の通信デバイス。
【請求項５７】
通信デバイスにおいて、
ｉ）ワイヤレス通信リンクから制御情報レポーティングフォーマット定義情報を受信する手段と、
ｉｉ）ワイヤレス通信リンクを通して、制御情報レポーティングフォーマット定義情報を送信する送信手段と
のうちの少なくとも１つと、
ｉ）受信されたレポーティングフォーマット定義情報と、
ｉｉ）送信されたレポーティングフォーマット定義情報と
のうちの少なくとも１つにしたがって、制御情報レポートの情報を回復させる手段と
を具備する通信デバイス。
【請求項５８】
記憶されたレポーティングフォーマット定義情報を含む記憶手段をさらに具備し、
前記記憶されたレポーティングフォーマット定義情報は、レポート定義情報を含み、
前記レポート定義情報は、制御情報レポート中に含まれることになる情報と、可能性あるレポート値との間のマッピングを規定するマッピング情報を含む、請求項５７記載の通信デバイス。
【請求項５９】
前記記憶されたレポーティングフォーマット定義情報は、レポートが送信されることになるシーケンスを示すスケジュールを示すレポーティングスケジュールを規定する情報をさらに含む、請求項５８記載の通信デバイス。
【請求項６０】
前記記憶されたレポーティングフォーマット定義情報は、前記規定されたレポーティングスケジュールにしたがって受信されることになる１組のレポートをさらに規定する、請求項５９記載の通信デバイス。
【請求項６１】
前記記憶されたレポーティングフォーマット定義情報は、前記規定された１組のレポートに適用されることになるコーディングおよび変調スキームを指定する情報をさらに含む、請求項６０記載の通信デバイス。
【請求項６２】
第１の通信デバイスを制御して、方法を実現させる機械実行可能命令が組み入れられたコンピュータ読取可能媒体において、
前記方法は、
ワイヤレス通信リンクからの制御情報レポーティングフォーマット定義情報の受信およびワイヤレス通信リンクによる制御情報レポーティングフォーマット定義情報の送信のうちの少なくとも１つを実行することと、
前記受信および送信されたレポーティングフォーマット定義情報のうちの１つにしたがって、受信された制御情報レポートに対応する制御情報を回復させることと
を含むコンピュータ読取可能媒体。
【請求項６３】
前記レポーティングフォーマットは、前記レポート中に含まれることになる情報を、可能性あるレポート値にマッピングする定義を提供する、請求項６２記載のコンピュータ読取可能媒体。
【請求項６４】
前記レポーティングフォーマットは、レポーティングスケジュールをさらに規定し、このレポーティングスケジュールにしたがって、レポートが送信されることになる、請求項６３記載のコンピュータ読取可能媒体。
【請求項６５】
前記レポーティングフォーマットは、前記規定されたレポーティングスケジュールにしたがって送信されることになる１組のレポートをさらに規定する、請求項６４記載のコンピュータ読取可能媒体。
【請求項６６】
前記レポーティングフォーマットは、前記１組のレポートに適用されることになるコーディングおよび変調スキームをさらに指定する、請求項６５記載のコンピュータ読取可能媒体。
【請求項６７】
ワイヤレス通信システムにおいて動作可能な第１の通信デバイスにおいて、
ワイヤレス通信リンクからの制御情報レポーティングフォーマット定義情報の受信およびワイヤレス通信リンクによる制御情報レポーティングフォーマット定義情報の送信のうちの少なくとも１つを制御し、
前記受信および送信されたレポーティングフォーマット定義情報のうちの１つにしたがって、受信された制御情報レポートに対応する制御情報の回復を制御する
ように構成されたプロセッサを具備する第１の通信デバイス。
【請求項６８】
前記レポーティングフォーマットは、前記レポート中に含まれることになる情報を、可能性あるレポート値にマッピングする定義を提供する、請求項６７記載の第１の通信デバイス。
【請求項６９】
前記レポーティングフォーマットは、レポーティングスケジュールをさらに規定し、このレポーティングスケジュールにしたがって、レポートが送信されることになる、請求項６８記載の第１の通信デバイス。
【請求項７０】
前記レポーティングフォーマットは、前記規定されたレポーティングスケジュールにしたがって送信されることになる１組のレポートをさらに規定する、請求項６９記載の第１の通信デバイス。
【請求項７１】
前記レポーティングフォーマットは、前記１組のレポートに適用されることになるコーディングおよび変調スキームをさらに指定する、請求項７０記載の第１の通信デバイス。
【国際調査報告】
2009521859.tif 000025
2009521859.tif 000026
2009521859.tif 000027